(57)【要約】【課題】沈胴時の小型化や画角の確保、光学性能の確保を行いやすいズームレンズ。【解決手段】正の第１群Ｇ１、負の第２群Ｇ２、正の第３群Ｇ３を有し、広角端から望遠端への変倍の際に、第１群Ｇ１と第２群Ｇ２との間隔、第２群Ｇ２と第３群Ｇ３との間隔を変化させ、第１群Ｇ１と第２群Ｇ２との間隔は広角端に対して望遠端にて広がり、第２群Ｇ２と第３群Ｇ３との間隔は広角端に対して望遠端にて狭まり、第３群Ｇ３との相対的な位置を一定とした絞りＳを備え、第１群Ｇ１は正レンズを含み、総レンズ枚数が２枚以下のレンズからなり、第２群Ｇ２は物体側負レンズ、正レンズ、像側負レンズの３枚のレンズからなり、物体側負レンズの像側面は凹面であり、第２群Ｇ２中の物体側負レンズと正レンズは光軸上にて空気間隔を挟んで配置し、第２群Ｇ２中の物体側負レンズの像側面の近軸曲率半径と第２群Ｇ２の焦点距離の比に関する条件（１）を満足する。【選択図】図１
2008076493.tif 000002
【特許請求の範囲】
【請求項１】
物体側から順に、正屈折力の第１レンズ群、負屈折力の第２レンズ群、正屈折力の第３レンズ群を有し、
広角端から望遠端への変倍の際に、前記第１レンズ群と前記第２レンズ群との間隔、前記第２レンズ群と前記第３レンズ群との間隔を変化させ、
前記第１レンズ群と前記第２レンズ群との間隔は広角端に対して望遠端にて広がり、
前記第２レンズ群と前記第３レンズ群との間隔は広角端に対して望遠端にて狭まり、
前記変倍に際して、前記第３レンズ群との相対的な位置を一定とした明るさ絞りを備え、
前記第１レンズ群は、正レンズを含み、総レンズ枚数が２枚以下のレンズからなり、
前記第２レンズ群は、物体側から順に、物体側負レンズ、正レンズ、像側負レンズの３枚のレンズからなり、
前記物体側負レンズの像側面は凹面であり、
前記第２レンズ群中の前記物体側負レンズと前記正レンズは光軸上にて空気間隔を挟んで配置し、
以下の条件式を満足することを特徴とするズームレンズ。
−１．７０＜Ｒ2n1r／ｆ2 ＜−０．７０                          ・・・（１）
ただし、Ｒ2n1rは第２レンズ群中の物体側負レンズの像側面の近軸曲率半径、
ｆ2 は第２レンズ群の焦点距離、
である。
【請求項２】
前記ズームレンズの前記第３レンズ群よりも像側のレンズ枚数が３枚以下であることを特徴とする請求項１記載のズームレンズ。
【請求項３】
前記ズームレンズが正屈折力を持つ第４レンズ群を有する４群ズームレンズであることを特徴とする請求項１又は２記載のズームレンズ。
【請求項４】
前記ズームレンズが１枚の正レンズからなる第４レンズ群を有する４群ズームレンズであることを特徴とする請求項１記載のズームレンズ。
【請求項５】
前記ズームレンズが、負屈折力を持つ第４レンズ群と、正屈折力を持つ第５レンズ群を有する５群ズームレンズであることを特徴とする請求項２記載のズームレンズ。
【請求項６】
以下の条件式を満足することを特徴とする請求項１から５の何れか１項記載のズームレンズ。
０＜ＳＦ2n1 ＜１．２５                                        ・・・（２）
−０．３２＜ｆ2 ／Ｒ2pf ＜０．５                              ・・・（３）
ただし、ＳＦ2n1 ＝（Ｒ2n1f＋Ｒ2n1r）／（Ｒ2n1f−Ｒ2n1r）で定義され、
Ｒ2n1fは第２レンズ群中の物体側負レンズの物体側面の近軸曲率半径、
Ｒ2n1rは第２レンズ群中の物体側負レンズの像側面の近軸曲率半径、
Ｒ2pf は第２レンズ群中の正レンズの物体側面の近軸曲率半径、
である。
【請求項７】
以下の条件式を満足することを特徴とする請求項１から６の何れか１項記載のズームレンズ。
１．８４＜ｎd2p ＜２．２０                                    ・・・（４）
１３．０＜νd2p ＜３０．０                                    ・・・（５）
ただし、ｎd2p は第２レンズ群中の正レンズのｄ線に対する屈折率、
νd2p は第２レンズ群中の正レンズのアッベ数、
である。
【請求項８】
以下の条件式を満足することを特徴とする請求項１から７の何れか１項記載のズームレンズ。
０．４５＜ＳＦ2p＜１．８０                                    ・・・（６）
ただし、ＳＦ2p＝（Ｒ2pf ＋Ｒ2pr ）／（Ｒ2pf −Ｒ2pr ）で定義され、
Ｒ2pf は第２レンズ群中の正レンズの物体側面の近軸曲率半径、
Ｒ2pr は第２レンズ群中の正レンズの像側面の近軸曲率半径、
である。
【請求項９】
以下の条件式を満足することを特徴とする請求項１から８の何れか１項記載のズームレンズ。
１．７８＜ｎd2n1＜２．２０                                    ・・・（７）
３５＜νd2n1＜５０                                            ・・・（８）
ただし、ｎd2n1は第２レンズ群中の物体側負レンズのｄ線に対する屈折率、
νd2n1は第２レンズ群中の物体側負レンズのアッベ数、
である。
【請求項１０】
以下の条件式を満足することを特徴とする請求項１から９の何れか１項記載のズームレンズ。
１．７８＜ｎd2n2＜２．００                                    ・・・（９）
３５＜νd2n2＜５０                                          ・・・（１０）
ただし、ｎd2n2は第２レンズ群中の像側負レンズのｄ線に対する屈折率、
νd2n2は第２レンズ群中の像側負レンズのアッベ数、
である。
【請求項１１】
以下の条件式を満足することを特徴とする請求項１から１０の何れか１項記載のズームレンズ。
−３．０＜ＳＦ2n2 ＜−０．６                                ・・・（１１）
ただし、ＳＦ2n2 ＝（Ｒ2n2f＋Ｒ2n2r）／（Ｒ2n2f−Ｒ2n2r）で定義され、
Ｒ2n2fは第２レンズ群中の像側負レンズの物体側面の近軸曲率半径、
Ｒ2n2rは第２レンズ群中の像側負レンズの像側面の近軸曲率半径、
である。
【請求項１２】
以下の条件式を満足することを特徴とする請求項１から１１の何れか１項記載のズームレンズ。
−３．０＜ｆ2p／ｆ2 ＜−１．０                              ・・・（１２）
ただし、ｆ2pは第２レンズ群の正レンズの焦点距離、
である。
【請求項１３】
前記第２レンズ群の前記物体側負レンズの少なくとも１つのレンズ面は非球面であり、以下の条件式を満足することを特徴とする請求項１から１２の何れか１項記載のズームレンズ。
０．００２＜（ａｓｐ2n1f＋｜ａｓｐ2n1r｜）／ｆw ＜０．１０
・・・（１３Ａ）
−０．０６＜（ａｓｐ2n1r−ａｓｐ2n1f）／ｆw ＜０．０６    ・・・（１３Ｂ）
ただし、ａｓｐ2n1fは第２レンズ群中の物体側負レンズの物体側のレンズ面における非球面偏倚量、
ａｓｐ2n1rは第２レンズ群中の物体側負レンズの像側のレンズ面における非球面偏倚量、
ｆw は広角端でのズームレンズ全系の焦点距離、
であり、非球面偏倚量は、前記レンズ面の面頂と同じ面頂を持ち該レンズ面の近軸曲率半径を曲率半径とする球面を基準球面としたとき、該レンズ面における広角端での最大光線入射高の位置にて、光軸に平行な方向に測ったときの該基準球面から該レンズ面まで距離であり、像側方向を正符号とし、レンズ面が球面又は平面の場合の非球面偏倚量は０となる。
【請求項１４】
前記第２レンズ群中の前記物体側負レンズの物体側面は、光軸から離れるに従い屈折力が大きくなる非球面であることを特徴とする請求項１３記載のズームレンズ。
【請求項１５】
前記第２レンズ群中の前記物体側負レンズが両凹負レンズであり、前記両凹負レンズの物体側面が光軸から離れるに従い負の屈折力が小さくなる非球面であり、前記両凹負レンズの像側面が光軸から離れるに従い負の屈折力が大きくなる非球面であることを特徴とする請求項１４記載のズームレンズ。
【請求項１６】
前記第２レンズ群中の前記像側負レンズの像側のレンズ面は非球面であり、以下の条件式を満足することを特徴とする請求項１から１５の何れか１項記載のズームレンズ。
−０．０９＜（ａｓｐ2n2r−ａｓｐ2n2f）／ｆw ＜−０．００５  ・・・（１４）
ただし、ａｓｐ2n2fは第２レンズ群中の像側負レンズの物体側のレンズ面における非球面偏倚量、
ａｓｐ2n2rは第２レンズ群中の像側負レンズの像側のレンズ面における非球面偏倚量、
ｆw は広角端でのズームレンズ全系の焦点距離、
であり、非球面偏倚量は、前記レンズ面の面頂と同じ面頂を持ち該レンズ面の近軸曲率半径を曲率半径とする球面を基準球面としたとき、該レンズ面における広角端での最大光線入射高の位置にて、光軸に平行な方向に測ったときの該基準球面から該レンズ面まで距離であり、像側方向を正符号とし、レンズ面が球面又は平面の場合の非球面偏倚量は０となる。
【請求項１７】
前記第２レンズ群の前記像側負レンズは、像側に凸面を向けた負メニスカスレンズであり、前記負メニスカスレンズの像側の面は光軸から離れるに従い正の屈折力が強くなる非球面であることを特徴とする請求項１６記載のズームレンズ。
【請求項１８】
前記第２レンズ群の前記正レンズと前記像側負レンズは、それぞれ単レンズからなることを特徴とする請求項１から１７の何れか１項記載のズームレンズ。
【請求項１９】
前記第２レンズ群の前記正レンズと前記像側負レンズは接合されていることを特徴とする請求項１から１７の何れか１項記載のズームレンズ。
【請求項２０】
前記第１レンズ群が正レンズと負レンズとを有することを特徴とする請求項１から１９の何れか１項記載のズームレンズ。
【請求項２１】
前記第１レンズ群が、物体側から順に、前記負レンズ、前記正レンズの２枚のレンズからなることを特徴とする請求項２０記載のズームレンズ。
【請求項２２】
前記第１レンズ群の前記負レンズと前記正レンズはそれぞれ単レンズであることを特徴とする請求項２１記載のズームレンズ。
【請求項２３】
前記第１レンズ群の前記負レンズと前記正レンズの間隔が以下の条件式を満足することを特徴とする請求項２２記載のズームレンズ。
０．０≦Ｌ1np ／Ｌ1 ＜０．２                                ・・・（１５）
ただし、Ｌ1np は第１レンズ群の負レンズと正レンズとの軸上間隔、
Ｌ1 は第１レンズ群の軸上の総厚み、
である。
【請求項２４】
前記第１レンズ群の前記負レンズと前記正レンズとが接合されていることを特徴とする請求項２１記載のズームレンズ。
【請求項２５】
前記第１レンズ群は１枚の正レンズからなることを特徴とする請求項１から１９の何れか１項記載のズームレンズ。
【請求項２６】
前記第３レンズ群が３枚以下のレンズからなることを特徴とする請求項１から２５の何れか１項記載のズームレンズ。
【請求項２７】
前記第３レンズ群は、物体側から順に、正レンズ、正レンズ、負レンズの３枚のレンズからなることを特徴とする請求項２６記載のズームレンズ。
【請求項２８】
以下の条件式を満足することを特徴とする請求項１から２７の何れか１項記載のズームレンズ。
０．２０＜｜ｆ2 ／ｆt ｜＜０．３２５                        ・・・（１６）
ただし、ｆt は望遠端でのズームレンズ全系の焦点距離、
である。
【請求項２９】
以下の条件式を満足することを特徴とする請求項１から２８の何れか１項記載のズームレンズ。
０．７＜ｆ1 ／ｆt ＜１．８                                  ・・・（１７）
ただし、ｆ1 は第１レンズ群の焦点距離、
ｆt は望遠端でのズームレンズ全系の焦点距離、
である。
【請求項３０】
以下の条件式を満足することを特徴とする請求項１から２９の何れか１項記載のズームレンズ。
０．２５＜ｆ3 ／ｆt ＜０．５０                              ・・・（１８）
ただし、ｆ3 は第３レンズ群の焦点距離、
ｆt は望遠端でのズームレンズ全系の焦点距離、
である。
【請求項３１】
以下の条件式を満足することを特徴とする請求項３又は４記載のズームレンズ。
０．４０＜ｆ4 ／ｆt ＜１．０                                ・・・（１９）
ただし、ｆ4 は第４レンズ群の焦点距離、
ｆt は望遠端でのズームレンズ全系の焦点距離、
である。
【請求項３２】
広角端から望遠端への変倍時に、前記第１レンズ群と前記第２レンズ群との間隔が広がり、前記第２レンズ群と前記第３レンズ群との間隔が狭まり、前記第３レンズ群と前記第４レンズ群との間隔が広がるように、前記第１レンズ群、前記第２レンズ群、前記第３レンズ群、前記第４レンズ群は移動することを特徴とする請求項３、４、３１の何れか１項記載のズームレンズ。
【請求項３３】
広角端から望遠端への変倍時に、前記第１レンズ群は広角端よりも望遠端で物体側にあるように移動し、前記第２レンズ群は移動し、前記第３レンズ群は物体側へのみ移動し、前記第４レンズ群は移動することを特徴とする請求項３２記載のズームレンズ。
【請求項３４】
以下の条件式を満足することを特徴とする請求項１から３３の何れか１項記載のズームレンズ。
３．８＜ｆt ／ｆw ＜１５．０                                ・・・（２１）
ただし、ｆw は広角端でのズームレンズ全系の焦点距離、
ｆt は望遠端でのズームレンズ全系の焦点距離、
である。
【請求項３５】
請求項１から３４の何れか１項記載のズームレンズと、前記ズームレンズの像側に配置され、前記ズームレンズにより形成される光学像を電気信号に変換する電子撮像素子とを有することを特徴とする電子撮像装置。
【請求項３６】
以下の条件式を満足することを特徴とする請求項３５記載の電子撮像装置。
０．７０＜Ｉm ／ｆw ＜１．００                              ・・・（２０）
ただし、Ｉm は最大像高、
ｆw は広角端でのズームレンズ全系の焦点距離、
である。
【発明の詳細な説明】
【技術分野】
【０００１】
本発明は、ズームレンズ及びそれを用いた電子撮像装置に関し、特に小型化を実現した、ビデオカメラやデジタルカメラを始めとする電子撮像装置に適したズームレンズに関するものである。
【背景技術】
【０００２】
近年では、銀塩フィルムカメラに代わり、ＣＣＤやＣＭＯＳのような電子撮像素子を用いて被写体を撮影するようにしたデジタルカメラが主流となっている。さらに、それは業務用高機能タイプからコンパクトな普及タイプまで幅広い範囲でいくつものカテゴリーを有するようになってきている。
【０００３】
普及タイプのデジタルカメラのユーザーは、いつでもどこでも手軽に様々なシーンで撮影を楽しみたいという要望を持っている。そのため、小型の商品、特に服やカバンのポケット等への収納性が良く、持ち運びが便利な、厚み方向のサイズが薄型であるタイプのデジタルカメラが好まれるようになっている。
【０００４】
一方、コンパクトタイプのデジタルカメラの変倍比は３倍程度が一般的であったが、さらに従来よりも高変倍比のカメラが求められている。
【０００５】
比較的高変倍比を維持しやすいズームレンズとして、物体側より、正屈折力の第１レンズ群、負屈折力の第２レンズ群、正屈折力の第３レンズ群を有するタイプのズームレンズが知られている。
【０００６】
一方、カメラの大きさの中、厚さ方向のサイズは主にレンズ鏡筒のサイズで決まってしまうため、カメラの薄型化達成のためにはレンズ鏡筒を薄型化することが効果的である。
【０００７】
最近では、カメラ使用状態ではレンズ鏡筒をカメラボディ内からせり出し、携帯時にはカメラボディ内に収納するいわゆる沈胴式鏡筒が一般的になっている。そのため、沈胴時のレンズ鏡筒の薄型化を考慮したズームレンズが求められる。
【０００８】
以下の特許文献１〜６の従来技術では、第１レンズ群を２枚又は３枚のレンズで構成し、第２レンズ群を、物体側から順に、負レンズ、正レンズ、負レンズの対称的なパワー配置にすることにより、第２レンズ群の収差補正と小型化とを行ったズームレンズが開示されている。
【特許文献１】特開２００５−２４２１１６号公報
【特許文献２】特開２００５−３２６７４３号公報
【特許文献３】特開２００６−７８９７９号公報
【特許文献４】特開２００５―３２６７４号公報
【特許文献５】特開２００５−１４８４２０号公報
【特許文献６】特開２００５−２４２１１６号公報
【発明の開示】
【発明が解決しようとする課題】
【０００９】
しかしながら、上述の従来技術には以下の課題がある。
【００１０】
上述の従来技術では、絞りを各レンズ群と独立に移動させているため、収差補正等には有利となるが、鏡筒の構成が複雑になりやすい。
【００１１】
また、上述の従来技術では、広角端にて明るさ絞りが第３レンズ群よりも物体側に大きな距離を開けて配置されている。そのため、第３レンズ群を通過する軸外光線の光線高が高くなる。それにより、第３レンズ群全体が大型化している。
【００１２】
また、第１レンズ群がレンズ３枚の場合、ズームレンズの径方向や、沈胴時の厚みの小型化には不利である。
【００１３】
本発明は従来技術のこのような問題点に鑑みてなされたものであり、その目的は、第３レンズ群の小型化に有利でありながら、第１レンズ群、第２レンズ群の工夫を行うことで、沈胴時の小型化や画角の確保、光学性能の確保を行いやすいズームレンズを提供することである。
【００１４】
また、そのようなズームレンズを備えることで、小型化しやすい電子撮像装置を提供することを目的とするものである。
【００１５】
さらには、ズームレンズの各レンズ群等の工夫により、小型化、収差性能の確保、変倍比の確保をより行いやすいズームレンズとそれを用いた電子撮像装置を提供することを目的とするものである。
【課題を解決するための手段】
【００１６】
上記目的を達成する本発明のズームレンズは、物体側から順に、正屈折力の第１レンズ群、負屈折力の第２レンズ群、正屈折力の第３レンズ群を有し、
広角端から望遠端への変倍の際に、前記第１レンズ群と前記第２レンズ群との間隔、前記第２レンズ群と前記第３レンズ群との間隔を変化させ、
前記第１レンズ群と前記第２レンズ群との間隔は広角端に対して望遠端にて広がり、
前記第２レンズ群と前記第３レンズ群との間隔は広角端に対して望遠端にて狭まり、
前記変倍に際して、前記第３レンズ群との相対的な位置を一定とした明るさ絞りを備え、
前記第１レンズ群は、正レンズを含み、総レンズ枚数が２枚以下のレンズからなり、
前記第２レンズ群は、物体側から順に、物体側負レンズ、正レンズ、像側負レンズの３枚のレンズからなり、
前記物体側負レンズの像側面は凹面であり、
前記第２レンズ群中の前記物体側負レンズと前記正レンズは光軸上にて空気間隔を挟んで配置し、
以下の条件式を満足することを特徴とするものである。
【００１７】
−１．７０＜Ｒ2n1r／ｆ2 ＜−０．７０                          ・・・（１）
ただし、Ｒ2n1rは第２レンズ群中の物体側負レンズの像側面の近軸曲率半径、
ｆ2 は第２レンズ群の焦点距離、
である。
【００１８】
以下、本発明においてこのような構成をとった理由と作用を説明する。
【００１９】
本発明では、物体側から順に、正屈折力の第１レンズ群、負屈折力の第２レンズ群、正屈折力の第３レンズ群を有し、広角端から望遠端への変倍の際に、前記第１レンズ群と前記第２レンズ群との間隔、前記第２レンズ群と前記第３レンズ群との間隔を変化させ、前記第１レンズ群と前記第２レンズ群との間隔は広角端に対して望遠端にて広がり、前記第２レンズ群と前記第３レンズ群との間隔は広角端に対して望遠端にて狭まる構成とすることで変倍を行う構成を採用した。
【００２０】
このような構成をとることにより、第２レンズ群と第３レンズ群に変倍の負担を効率的に分担させることができ、変倍比を確保しつつ変倍時の収差変動を小さく抑えやすくなる。
【００２１】
そして、第１レンズ群を２枚以下のレンズ、第２レンズ群をレンズ３枚という少ない枚数にて構成することで、ズームレンズの沈胴時の厚みを抑えやすくなる。また、広角端での第１レンズ群最物体側面から入射瞳までの距離も小さくしやすくなり、ズームレンズの径方向のサイズの小型化も行いやすくなる。
【００２２】
そして、本発明では、第２レンズ群中に２枚の負レンズを配置して第２レンズ群の負パワーを分担させ収差を抑えやすくし、そして、物体側から順に、負レンズ、正レンズ、負レンズの並びとすることで、レンズ構成の対称性を良くし、第２レンズ群内で効率良く収差補正を行える構成としている。
【００２３】
さらに、本発明では、第３レンズ群の径方向の大きさや、軸上肉厚を小さく抑えやすくするために、明るさ絞りと第３レンズ群との位置関係を一体としている。このようにすると、第３レンズ群を通過する軸外光線の光線高が高くなるのを防ぎ、第３レンズ群での屈折力を確保しても変倍時の収差変動を抑えやすく、小型化に有利となる。
【００２４】
そして、明るさ絞りをこのように配置する場合、第２レンズ群にて以下の条件式（１）を満足させることで、小型化と収差バランスの両立をより行いやすくなる。
【００２５】
−１．７０＜Ｒ2n1r／ｆ2 ＜−０．７０                          ・・・（１）
ただし、Ｒ2n1rは第２レンズ群中の物体側負レンズの像側面の近軸曲率半径、
ｆ2 は第２レンズ群の焦点距離、
である。
【００２６】
条件式（１）は、第２レンズ群中の物体側負レンズの像側面の近軸曲率半径を特定するものである。この条件式（１）の上限の−０．７０を上回らないようにすることで、第２レンズ群の最も物体側の負レンズの像側凹面の曲率を小さくし（曲率半径を大きくし）、この面での軸外光線の屈折角度を抑えることが好ましい。それにより、特に広角端での軸外のコマ収差の発生の低減に有利となる。
【００２７】
また、この凹面の曲率を小さくすることで、曲率の大きくなりやすいこの凹面のサグを抑えやすくなり、第２レンズ群の厚みも抑えやすくなる。それにより、沈胴時の小型化にも有利となる。
【００２８】
また、下限の−１．７０を下回らないようにして、物体側負レンズの像側凹面の曲率を適度に確保し、軸外光線を屈折させる作用を適度に確保することで、広角端での軸外光線の光軸に対する角度が大きいまま第２レンズ群内を通過することを抑えられる。それにより、変倍時の収差の変動を抑えやすくなる。
【００２９】
さらには、ズームレンズの第３レンズ群よりも像側のレンズ枚数を３枚以下とすることが好ましい。
【００３０】
このような構成により、沈動時の薄型化や、ズームレンズの構成の簡略化に有利となる。
【００３１】
ズームレンズを３群ズームレンズとすれば、レンズを移動させる機構を簡略化できる。
【００３２】
また、ズームレンズを４群ズームレンズとし、第４レンズ群を正屈折力とすると、第４レンズ群に射出瞳を遠くする機能を確保でき好ましい。さらに、第４レンズ群をフォーカシング時に移動させる構成とすると、フォーカシング時の画角変化を抑えやすい。
【００３３】
また、ズームレンズを４群ズームレンズとし、第４レンズ群を１枚の正レンズとすれば、射出瞳を遠くする機能を確保でき、沈胴時の小型化等にも好ましい。
【００３４】
また、ズームレンズを５群ズームレンズとし、第４レンズ群を負屈折力、第５レンズ群を正屈折力とすると、ズームレンズ全体の群のパワー配置を対称配置にでき、変倍時の非点収差の変動を抑えやすくなり、好ましい。
【００３５】
また、上述の各発明にて、第２レンズ群が以下の条件式（２）、（３）を満足させることで、小型化と収差バランスをより良好にしやすくなる。
【００３６】
０＜ＳＦ2n1 ＜１．２５                                        ・・・（２）
−０．３２＜ｆ2 ／Ｒ2pf ＜０．５                              ・・・（３）
ただし、ＳＦ2n1 ＝（Ｒ2n1f＋Ｒ2n1r）／（Ｒ2n1f−Ｒ2n1r）で定義され、
Ｒ2n1fは第２レンズ群中の物体側負レンズの物体側面の近軸曲率半径、
Ｒ2n1rは第２レンズ群中の物体側負レンズの像側面の近軸曲率半径、
Ｒ2pf は第２レンズ群中の正レンズの物体側面の近軸曲率半径、
である。
【００３７】
条件式（２）は、第２レンズ群の物体側負レンズのパワーを確保しつつ、小型化、性能確保をバランスさせるための条件である。
【００３８】
その条件式（２）の上限の１．２５を上回らないようにすることで、像側面の曲率を小さくしても負レンズの負パワーを確保しやすくなる。それにより、第２レンズ群前後の間隔の変化量を小さくしやすくなり、鏡枠の小型化にも有利となる。また、物体側面で光線を屈折させる作用の確保がしやすくなり、第１レンズ群での光線高を小さくして、径方向のコンパクト化に有利となる。また、第２レンズ群の軸上での厚みを小さくしやすくなる。
【００３９】
条件式（２）の下限の０を下回らないようにして、物体側面の面が強い負パワーの面となること抑え、広角端での像面湾曲や、歪曲収差を抑えることが好ましい。
【００４０】
また、条件式（１）を満たすようにすると、最も物体側の負レンズの像側面での収差の発生が小さくなる。それに応じて、第２レンズ群の正レンズについては、条件式（３）を満たすようにして収差のバランスをより適正に行うことが好ましい。
【００４１】
条件式（３）の下限の−０．３２を下回らないようにすることで、物体側面が強い正パワーになることを抑え、第２レンズ群の負パワーの確保やコマ収差の補正に有利となる。
【００４２】
その上限の０．５を上回らないようにして、正レンズのパワーを適度に確保することで、物体側、像側の負レンズによる収差も補正する機能を確保し、コマ収差や球面収差を抑えやすくなる。
【００４３】
なお、条件式（１）について、以下のようにするとさらに好ましい。
【００４４】
−１．３０＜Ｒ2n1r／ｆ2 ＜−０．７４                        ・・・（１）’
以下を満足するとなお好ましい。
【００４５】
−０．８５＜Ｒ2n1r／ｆ2 ＜−０．７８                        ・・・（１）”
条件式（２）について、以下のようにするとさらに好ましい。
【００４６】
０．３５＜ＳＦ2n1 ＜１．１５                                ・・・（２）’
以下を満足するとなお好ましい。
【００４７】
０．７０＜ＳＦ2n1 ＜１．０５                                ・・・（２）”
条件式（３）について、以下のようにするとさらによい。
【００４８】
−０．２１＜ｆ2 ／Ｒ2pf ＜０．３                            ・・・（３）’
以下を満足するとなお好ましい。
【００４９】
−０．１＜ｆ2 ／Ｒ2pf ＜０．１                              ・・・（３）”
上述の条件式の下限値のみ、若しくは、上限値のみを限定するようにしてもよい。
【００５０】
以降に示す各条件式についても同様である。
【００５１】
上述の各発明にて、さらに以下に示す構成とすることがより好ましい。
【００５２】
以下に詳細に説明する。
【００５３】
第２レンズ群の正レンズについて条件式（４）、（５）を満足することが好ましい。これは第２レンズ群の正レンズの屈折率とアッベ数に関する条件式である。
【００５４】
１．８４＜ｎd2p ＜２．２０                                    ・・・（４）
１３．０＜νd2p ＜３０．０                                    ・・・（５）
ただし、ｎd2p は第２レンズ群中の正レンズのｄ線に対する屈折率、
νd2p は第２レンズ群中の正レンズのアッベ数、
である。
【００５５】
条件式（４）の上限の２．２０を上回らないようにすることで、材料の量産性や入手性を良くし、コスト低減を行うことが好ましい。
【００５６】
その下限の１．８４を下回らないようにすることで、パワーを確保してもレンズ面の曲率絶対値を小さくでき、球面収差やコマ収差の発生抑えやすくなる。
【００５７】
条件式（５）は、色収差補正、特に軸外の倍率色収差補正に関する条件式である。大きな負パワーにより発生する色収差をこの群内で良好に補正するためには、正レンズに適正な範囲で比較的色分散性の大きな材料を用いることが好ましい。
【００５８】
条件式（４）の上限の３０．０を上回らないようにして、分散を確保し、負レンズで発生する色収差の補正を行うことが好ましい。
【００５９】
その下限の１３．０を下回らないようにして、短波長側での色分散を抑え、この正レンズで発生する短波長側の色収差を抑えて２次スペクトルの発生を抑えることが好ましい。
【００６０】
以下のようにするとさらによい。
【００６１】
１．８７＜ｎd2p ＜２．１５                                  ・・・（４）’
１５．０＜νd2p ＜２６．０                                  ・・・（５）’
以下のようにするとなおよい。
【００６２】
１．９０＜ｎd2p ＜２．１２                                  ・・・（４）”
１７．０＜νd2p ＜２１．０                                  ・・・（５）”
第２レンズ群内の収差の発生をより小さくするためには、第２レンズ群の正レンズの形状を以下の条件式を満たすようにするとより好ましい。
【００６３】
０．４５＜ＳＦ2p＜１．８０                                    ・・・（６）
ただし、ＳＦ2p＝（Ｒ2pf ＋Ｒ2pr ）／（Ｒ2pf −Ｒ2pr ）で定義され、
Ｒ2pf は第２レンズ群中の正レンズの物体側面の近軸曲率半径、
Ｒ2pr は第２レンズ群中の正レンズの像側面の近軸曲率半径、
である。
【００６４】
条件式（６）の上限の１．８０及び下限の０．４５を越えないようにすることで、球面収差とコマ収差の発生をバランス良く抑えやすくなる。
【００６５】
以下のようにするとさらによい。
【００６６】
０．５５＜ＳＦ2p＜１．６                                    ・・・（６）’
以下を満足するとなおよい。
【００６７】
０．６＜ＳＦ2p＜１．３                                      ・・・（６）”
第２レンズ群の最も物体側の負レンズの材料が、以下の条件を満足することが好ましい。具体的には、以下の条件式を満足するようにするとよい。
【００６８】
１．７８＜ｎd2n1＜２．２０                                    ・・・（７）
３５＜νd2n1＜５０                                            ・・・（８）
ただし、ｎd2n1は第２レンズ群中の物体側負レンズのｄ線に対する屈折率、
νd2n1は第２レンズ群中の物体側負レンズのアッベ数、
である。
【００６９】
条件式（７）の上限の２．２０を上回らないようにして、材料の量産性や入手性を良くし、コスト低減を行うことが好ましい。下限の１．７８を下回らないようにして、屈折力を確保しつつレンズ面の曲率絶対値を小さくして、広角端でコマ収差や像面湾曲を抑えやすくすることが好ましい。
【００７０】
条件式（８）の上限の５０を上回らないようにして、屈折率の高い材料の入手性を確保することが好ましい。下限の３５を下回らないようにして、色分散を適度に抑え、色収差を抑えやすくすることが好ましい。
【００７１】
以下のようにするとさらによい。
【００７２】
１．７９＜ｎd2n1＜１．９５                                  ・・・（７）’
３７＜νd2n1＜４７                                          ・・・（８）’
以下を満足するとなおよい。
【００７３】
１．８０＜ｎd2n1＜１．９０                                  ・・・（７）”
４０＜νd2n1＜４３                                          ・・・（８）”
第２レンズ群の最も像側の負レンズについて最適な材料を設定しておくのがよい。具体的には、以下の条件式を満足するようにするとよい。
【００７４】
１．７８＜ｎd2n2＜２．００                                    ・・・（９）
３５＜νd2n2＜５０                                          ・・・（１０）
ただし、ｎd2n2は第２レンズ群中の像側負レンズのｄ線に対する屈折率、
νd2n2は第２レンズ群中の像側負レンズのアッベ数、
である。
【００７５】
条件式（９）の上限の２．００を上回らないようにして、材料の量産性や入手性を良くし、コスト低減を行うことが好ましい。下限の１．７８を下回らないようにすることで、屈折力を確保してもレンズ面の曲率絶対値を小さくでき、球面収差やコマ収差の発生を抑えやすくなる。
【００７６】
条件式（１０）の上限の５０を上回らないようにして、屈折率の高い材料の入手性を高くすることが好ましい。下限の３５を下回らないようにすることで、色分散を抑え、色収差の補正に有利となる。
【００７７】
以下のようにするとさらによい。
【００７８】
１．７９＜ｎd2n2＜１．９５                                  ・・・（９）’
３８＜νd2n2＜４８                                        ・・・（１０）’
以下を満足するとなおよい。
【００７９】
１．８０＜ｎd2n2＜１．９０                                  ・・・（９）”
４０＜νd2n2＜４７                                        ・・・（１０）”
この負レンズの形状については、以下の条件式を満足するようにするとよい。
【００８０】
−３．０＜ＳＦ2n2 ＜−０．６                                ・・・（１１）
ただし、ＳＦ2n2 ＝（Ｒ2n2f＋Ｒ2n2r）／（Ｒ2n2f−Ｒ2n2r）で定義され、
Ｒ2n2fは第２レンズ群中の像側負レンズの物体側面の近軸曲率半径、
Ｒ2n2rは第２レンズ群中の像側負レンズの像側面の近軸曲率半径、
である。
【００８１】
条件式（１１）の上限の−０．６を上回らないようにして、像面湾曲の補正不足を抑えることが好ましい。下限の−３．０を下回らないようにして、両レンズ面の曲率絶対値を適度に小さくし、球面収差やコマ収差の発生を抑えやすくすることが好ましい。
【００８２】
以下のようにするとさらによい。
【００８３】
−２．６＜ＳＦ2n2 ＜−０．９                              ・・・（１１）’
以下を満足するとなおよい。
【００８４】
−２．１＜ＳＦ2n2 ＜−１．１                              ・・・（１１）”
また、良好な収差補正のために、第２レンズ群の正レンズは以下の条件式を満足するようにするとよい。
【００８５】
−３．０＜ｆ2p／ｆ2 ＜−１．０                              ・・・（１２）
ただし、ｆ2pは第２レンズ群の正レンズの焦点距離、
である。
【００８６】
条件式（１２）の上限の−１．０を上回らないようにして、正レンズのパワーを適度に抑えることで像面湾曲の補正不足を抑えやすくなる。下限の−３．０を下回らないようにして、正レンズのパワーを適度に確保することで、第２レンズ群の負レンズで発生する球面収差やコマ収差の補正に有利となる。何れにしても、上下限を越えると、良好な光学性能を確保することが難しくなる。
【００８７】
以下のようにするとさらによい。
【００８８】
−２．８＜ｆ2p／ｆ2 ＜−１．４                            ・・・（１２）’
以下を満足するとなおよい。
【００８９】
−２．６＜ｆ2p／ｆ2 ＜−１．８                            ・・・（１２）”
また、さらに収差の発生を抑えて良好な光学性能を得るためには、第２レンズ群の最も物体側の負レンズの少なくとも１つのレンズ面に非球面を配置するとよい。また、両面非球面としてもよい。コマ収差や像面湾曲の補正に効果がある。
【００９０】
このとき、以下の条件式を満足するようにするとよい。
【００９１】
０．００２＜（ａｓｐ2n1f＋｜ａｓｐ2n1r｜）／ｆw ＜０．１０
・・・（１３Ａ）
−０．０６＜（ａｓｐ2n1r−ａｓｐ2n1f）／ｆw ＜０．０６    ・・・（１３Ｂ）
ただし、ａｓｐ2n1fは第２レンズ群中の物体側負レンズの物体側のレンズ面における非球面偏倚量、
ａｓｐ2n1rは第２レンズ群中の物体側負レンズの像側のレンズ面における非球面偏倚量、
ｆw は広角端でのズームレンズ全系の焦点距離、
であり、非球面偏倚量は、図４１に示すように、レンズ面の面頂と同じ面頂を持ちそのレンズ面の近軸曲率半径を曲率半径とする球面を基準球面としたとき、そのレンズ面における広角端での最大光線入射高の位置にて、光軸に平行な方向に測ったときのその基準球面からそのレンズ面までの距離であり、像側方向（図の右方向）を正符号とする。レンズ面が球面又は平面の場合の非球面偏倚量は０となる。
【００９２】
条件式（１３Ａ）の下限の０．００２を下回らないようにすることで、非球面による収差補正効果を確保しやすくなり、過剰なたる型の歪曲収差を抑えやすくなる。上限の０．１０を上回らないようにすることで、非球面の形状変化の程度を抑えられ、偏心による収差への影響、過剰なコマ収差の補正を抑えやすくなる。
【００９３】
条件式（１３Ｂ）の上限の０．０６を上回らないようにすることで、像面湾曲の補正過剰を抑えやすくなる。下限の−０．０６を下回らないようにすることで、像面湾曲の補正不足を抑えやすくなる。何れにしても良好な光学性能を得ることに有効である。
【００９４】
以下のようにするとさらによい。
【００９５】
−０．０５５＜（ａｓｐ2n1r−ａｓｐ2n1f）／ｆw ＜０．０４・・・（１３Ｂ）’
以下を満足するとなおよい。
【００９６】
−０．０５９＜（ａｓｐ2n1r−ａｓｐ2n1f）／ｆw ＜０．０１５
・・・（１３Ｂ）”
さらには、第２レンズ群中の物体側負レンズにおける物体側面は、光軸から離れるに従い屈折力が大きくなる非球面とするとよい（実施例１〜１０、１２、１３参照）。
【００９７】
なお、屈折力が大きくなるとは、負の屈折力が小さくなるか、若しくは、正の屈折力が大きくなるという意味である。
【００９８】
このような形状とすることで、広角端での軸外収差の補正に有利となる。
【００９９】
さらに、第２レンズ群中の物体側負レンズを両凹負レンズとし、両凹負レンズの物体側面を光軸から離れるに従い負の屈折力が小さくなる非球面とし、両凹負レンズの像側面を光軸から離れるに従い負の屈折力が大きくなる非球面とすることが好ましい（実施例１〜１０）。
【０１００】
このような形状とすることで、レンズの中心部分、周辺部分での負パワーを確保しつつ、広角端での軸外コマ収差の補正に有利となり、画角の確保に有利となる。また、第２レンズ群全体の薄型化にも有利となる。
【０１０１】
第２レンズ群の最も像側の負レンズの像側面を非球面とすると、収差補正上効果的である。球面収差やコマ収差の補正に効果がある。このとき、以下の条件式を満足するようにするとよい。
【０１０２】
−０．０９＜（ａｓｐ2n2r−ａｓｐ2n2f）／ｆw ＜−０．００５  ・・・（１４）
ただし、ａｓｐ2n2fは第２レンズ群中の像側負レンズの物体側のレンズ面における非球面偏倚量、
ａｓｐ2n2rは第２レンズ群中の像側負レンズの像側のレンズ面における非球面偏倚量、
ｆw は広角端でのズームレンズ全系の焦点距離、
であり、非球面偏倚量は、図４１に示すように、レンズ面の面頂と同じ面頂を持ちそのレンズ面の近軸曲率半径を曲率半径とする球面を基準球面としたとき、そのレンズ面における広角端での最大光線入射高の位置にて、光軸に平行な方向に測ったときのその基準球面からそのレンズ面まで距離であり、像側方向（図の右方向）を正符号とする。レンズ面が球面又は平面の場合の非球面偏倚量は０となる。
【０１０３】
条件式（１４）の上限の−０．００５を上回らないようにすると、像面湾曲の補正過剰を抑えやすい。下限の−０．０９を下回らないようにすると、球面収差やコマ収差の補正に有利となる。何れも良好な光学性能を得ることに有効となる。
【０１０４】
以下のようにするとさらによい。
【０１０５】
−０．０７＜（ａｓｐ2n2r−ａｓｐ2n2f）／ｆw ＜−０．００５・・・（１４）’
以下を満足するとなおよい。
【０１０６】
−０．０５＜（ａｓｐ2n2r−ａｓｐ2n2f）／ｆw ＜−０．０１５・・・（１４）”
さらに、第２レンズ群の像側負レンズを、像側に凸面を向けた負メニスカスレンズとし、負メニスカスレンズの像側の面は光軸から離れるに従い正の屈折力が強くなる非球面とすることが好ましい（実施例１〜１１、１３参照）。
【０１０７】
このような構成により、第２レンズ群の球面収差、軸外諸収差の補正を良好に行うことに有利となる。
【０１０８】
第２レンズ群の正レンズと最も像側の負レンズは、接合されていないそれぞれ独立した単レンズとしてもよいし、接合レンズとしてもよい。接合しない方が空気接触面を利用した収差補正の自由度が大きくなる。一方、接合とすると色収差補正が有利となり、また、相対偏心による光学性能劣化に起因する歩留まり悪化を緩和でき、コストダウンにつながる。
【０１０９】
また、第１レンズ群は、正レンズと負レンズを備えることが色収差上好ましい。
【０１１０】
特に、第１レンズ群は、物体側から順に、負レンズ、正レンズの並びとするよい。このようにすると、第１レンズ群、第２レンズ群トータルで考えたときに、物体側から順に、負レンズ、正レンズ、負レンズ、正レンズ、負レンズと対称性のよい構成となる。特に広角端での第１レンズ群、第２レンズ群の合成系で発生する収差を効率良くキャンセルすることができる。また、第１レンズ群の後側主点位置が像側に寄るため、変倍比の確保にも効果がある。
【０１１１】
第１レンズ群の負レンズと正レンズは接合されていないそれぞれ独立したレンズ成分からなる構成としてもよい。
【０１１２】
このようにすると、２つのレンズの間に形成される空気レンズを利用して、特に望遠端のコマ収差を良好に補正できるようになる。
【０１１３】
このとき、両レンズの間隔が以下の条件式を満足するようにするとよい。
【０１１４】
０．０≦Ｌ1np ／Ｌ1 ＜０．２                                ・・・（１５）
ただし、Ｌ1np は第１レンズ群の負レンズと正レンズとの軸上間隔、
Ｌ1 は第１レンズ群の軸上の総厚み、
である。
【０１１５】
条件式（１５）の上限の０．２を越えると、最も物体側のレンズを通る軸外光線高が高くなりレンズ有効径が大きくなってしまい、径方向のコンパクト化が難しくなる。下限の０．０を越えることはない。
【０１１６】
以下のようにするとさらによい。
【０１１７】
０．０≦Ｌ1np ／Ｌ1 ＜０．１６                            ・・・（１５）’
以下を満足するとなおよい。
【０１１８】
０．０≦Ｌ1np ／Ｌ1 ＜０．１２                            ・・・（１５）”
また、第１レンズ群の負レンズと正レンズは接合してもよい。広角端の倍率色収差や望遠端の軸上色収差を良好に補正できる。また、相対偏心による性能劣化に起因する歩留まり悪化を緩和でき、コストダウンにつながる。
【０１１９】
また、第１レンズ群を１枚の正レンズで構成しても、小型化、低コスト化に有利となる。
【０１２０】
第３レンズ群の構成は、鏡筒の薄型化のためには３枚以下のレンズからなる構成とするのがよい。
【０１２１】
特に、第３レンズ群は、物体側から順に、正レンズ、正レンズ、負レンズの３枚からなる構成とすることが好ましい。正レンズのパワーを２枚のレンズに分散させ、負レンズを用いることで、球面収差、コマ収差、色収差の補正に有利となる。また、主点が物体寄りになるので、高変倍比化にも有利となる。
【０１２２】
さらには、第３レンズ群の物体側から２番目の正レンズと負レンズを光軸上にて接合することが好ましい。正レンズと負レンズを接合することで、軸上色収差の補正をより効果的に行うことができる。また、正レンズのパワーを２枚のレンズに分散させ、正レンズと負レンズを接合レンズとすることで、組み立て工程でのレンズ同士の相対偏心による光学性能の劣化を防ぐことができるため、歩留まりの向上やコストダウンにつながる。
【０１２３】
さらに、第３レンズ群内に１面以上の非球面を配置することで球面収差やコマ収差の補正に効果がある。特に、第３レンズ群の最も物体側の正レンズを両面非球面レンズとすることで諸収差の補正に有利となる。複数のレンズに非球面を配置するとレンズの相対偏心による光学性能劣化が大きくなりがちだが、このように１枚のレンズの両側面を非球面とすることで、レンズ相対偏心による光学性能劣化を小さく抑えながら、球面収差とコマ収差をより良好に補正することが可能となる。
【０１２４】
第２レンズ群のパワーについては、以下の条件式を満足するようにするとよい。
【０１２５】
０．２０＜｜ｆ2 ／ｆt ｜＜０．３２５                        ・・・（１６）
ただし、ｆt は望遠端でのズームレンズ全系の焦点距離、
である。
【０１２６】
条件式（１６）の上限の０．３２５を上回らないようにして、パワーを確保し変倍のための移動量を抑え、鏡筒のコンパクト化に有利となる。下限の０．２０を下回らないようにして、屈折力を抑えることで収差補正が容易となる。
【０１２７】
以下のようにするとさらによい。
【０１２８】
０．２５＜｜ｆ2 ／ｆt ｜＜０．３２０                      ・・・（１６）’
以下を満足するとなおよい。
【０１２９】
０．２９＜｜ｆ2 ／ｆt ｜＜０．３１５                      ・・・（１６）”
コンパクト化と光学性能のバランスの観点から、第１レンズ群のパワーを以下の条件式を満足するように設定することが望ましい。
【０１３０】
０．７＜ｆ1 ／ｆt ＜１．８                                  ・・・（１７）
ただし、ｆ1 は第１レンズ群の焦点距離、
ｆt は望遠端でのズームレンズ全系の焦点距離、
である。
【０１３１】
条件式（１７）の上限の１．８を上回らないようにして、第１レンズ群のパワーを確保することで、ズームレンズ全系の全長を小さくしやすくなり小型化しやすくなる。下限の０．７を下回らないようにして、パワーを適度に抑え、望遠端での球面収差やコマ収差を抑えやすくなる。
【０１３２】
以下のようにするとさらによい。
【０１３３】
１．０＜ｆ1 ／ｆt ＜１．７                                ・・・（１７）’
以下を満足するとなおよい。
【０１３４】
１．３＜ｆ1 ／ｆt ＜１．６                                ・・・（１７）”
第３レンズ群のパワーについては、以下の条件式を満足するようにするとよい。
【０１３５】
０．２５＜ｆ3 ／ｆt ＜０．５０                              ・・・（１８）
ただし、ｆ3 は第３レンズ群の焦点距離、
ｆt は望遠端でのズームレンズ全系の焦点距離、
である。
【０１３６】
条件式（１８）の上限の０．５０を上回らないようにして、パワーを確保することで、全長の短縮化や変倍比の確保に有利となる。下限の０．２５を下回らないようにして、屈折力を抑えることで、収差補正に有利となる。
【０１３７】
以下のようにするとさらによい。
【０１３８】
０．３０＜ｆ3 ／ｆt ＜０．４０                            ・・・（１８）’
以下を満足するとなおよい。
【０１３９】
０．３４＜ｆ3 ／ｆt ＜０．３８                            ・・・（１８）”
さらに、正屈折力の第４レンズ群を備える構成とし、全体として４群ズームレンズとする場合、第４レンズ群のパワーについては、以下の条件式を満足するようにするとよい。
【０１４０】
０．４０＜ｆ4 ／ｆt ＜１．０                                ・・・（１９）
ただし、ｆ4 は第４レンズ群の焦点距離、
ｆt は望遠端でのズームレンズ全系の焦点距離、
である。
【０１４１】
条件式（１９）の上限の１．０を上回らないようにして、第４レンズ群のパワーを確保することで、軸外光線を屈折させる作用を確保することが好ましい。像面に配置するＣＣＤやＣＭＯＳ等の電子撮像素子に入射する光線角度を小さくでき、画面の隅での明るさの陰り（シェーディング）の発生を抑えやすくなる。下限の０．４０を下回らないようにして第４レンズ群のパワーを適度に抑えることで、像面湾曲が補正不足を抑えやすくなる。また、前述の通り、フォーカシング動作は第４レンズ群を移動させて行うのが望ましいが、フォーカシング時の像面湾曲の変動を抑えやすくなる。
【０１４２】
以下のようにするとさらによい。
【０１４３】
０．５０＜ｆ4 ／ｆt ＜０．８０                            ・・・（１９）’
以下を満足するとなおよい。
【０１４４】
０．６２＜ｆ4 ／ｆt ＜０．６６                            ・・・（１９）”
第４レンズ群はプラスチック材料で形成してもよい。第４レンズ群の主な役割として、射出瞳位置を適切な位置に配置してＣＣＤやＣＭＯＳ等の電子撮像素子に効率良く光線を入射させることが好ましい。そのような役割のためには、上述した条件式（１９）のような範囲内にパワーが設定されていれば、比較的大きなパワーは必要とせず、プラスチックレンズのような屈折率の低い硝材を用いて構成することも可能である。第４レンズ群にプラスチックレンズを用いれば、コストを安く抑え、より安価なズームレンズを提供することが可能となる。
【０１４５】
なお、性能を維持しつつ高変倍比化するためには、各レンズ群に効率良く変倍作用を与えて、かつ、全変倍領域において収差をバランス良く補正することが好ましい。
【０１４６】
本発明のズームレンズを４群ズームレンズとする場合、広角端から望遠端への変倍時に、第１レンズ群と第２レンズ群との間隔が広がり、第２レンズ群と第３レンズ群との間隔が狭まり、第３レンズ群と第４レンズ群との間隔が広がるように、第１レンズ群、第２レンズ群、第３レンズ群、第４レンズ群はそれぞれ移動する構成とすることが好ましい。
【０１４７】
このように全てのレンズ群を移動させることにより、収差バランスをとりながら変倍を行いやすくなり、高変倍比化に有利となる。また、明るさ絞りを移動させることにより、倍率色収差や歪曲収差の効果的補正が可能になって、性能面で効果を出せるだけでなく、入射瞳位置、射出瞳位置を適切にコントロールすることが可能となる。
【０１４８】
そのため、ＣＣＤやＣＭＯＳ等に入射する光線角度を適当な範囲に保ち、画面の隅での明るさの陰り（シェーディング）の発生を防ぐことができ、電子撮像素子を用いる撮像装置に好適となる。
【０１４９】
また、広角端から望遠端への変倍時に、第１レンズ群は広角端よりも望遠端で物体側にあるように移動し、第２レンズ群は移動し、第３レンズ群は物体側へのみ移動し、第４レンズ群は移動する構成とするとよい。広角端での全長を小さくしつつ、変倍比の確保に有利となる。
【０１５０】
その際、第１レンズ群は物体側へのみ移動させてもよいし、像側に凸の軌跡で移動させてもよい。
【０１５１】
第２レンズ群は像側へのみ移動させてもよいし、像側に凸の軌跡で移動させてもよい。
【０１５２】
第３レンズ群は物体側へのみに移動させるのがよい。
【０１５３】
第４レンズ群は物体側へのみ移動させてもよいし、像側へのみ移動させてもよい。あるいは、物体側に凸、又は、像側に凸の軌跡で移動させてもよい。
【０１５４】
第２レンズ群と第３レンズ群の間に明るさ絞り及びシャッターユニットを配置し、シャッターユニットも変倍時に第３レンズ群と一体で移動させるとよい。入射瞳を物体側からみて近い位置に位置させることができ、射出瞳を像面から遠ざけることができる。また、軸外光線の高さが低くなる場所であるのでシャッターユニットが大型化せずにすみ、明るさ絞り及びシャッターユニットを移動させるときのデッドスペースが小さくてすむ。
【０１５５】
また、本発明のズームレンズは以下の条件式を満足するのがよい。
【０１５６】
３．８＜ｆt ／ｆw ＜１５．０                                ・・・（２１）
ただし、ｆw は広角端でのズームレンズ全系の焦点距離、
ｆt は望遠端でのズームレンズ全系の焦点距離、
である。
【０１５７】
条件式（２１）の上限の１５．０を上回らないようにして、光学性能を確保しやすくすることが好ましい。下限の３．８を下回らないようにして、変倍比を確保することで、本発明のズームレンズの小型化、高変倍比化の機能を十分に生かせる。
【０１５８】
以下のようにするとさらによい。
【０１５９】
４．２＜ｆt ／ｆw ＜１０．０                              ・・・（２１）’
以下を満足するとなおよい。
【０１６０】
４．５＜ｆt ／ｆw ＜６                                    ・・・（２１）”
本発明は、上述のズームレンズと、その像側に配置され、ズームレンズにより形成される光学像を電気信号に変換する電子撮像素子とを有する電子撮像装置を包含するものである。
【０１６１】
また、このような電子撮像装置は以下の条件式を満足するのがよい。
【０１６２】
０．７０＜Ｉm ／ｆw ＜１．００                              ・・・（２０）
ただし、Ｉm は最大像高、
ｆw は広角端でのズームレンズ全系の焦点距離、
である。
【０１６３】
条件式（２０）の上限の１．００を上回らないようにすることで、撮影画角が大きくなりすぎないようにし、たる型の歪曲収差の発生を小さくすることに有利となる。下限の０．７０を下回らないようにして、本構成を採用することによる小型、広角化のメリットを生かすことが好ましい。
【０１６４】
以下のようにするとさらによい。
【０１６５】
０．７２＜Ｉm ／ｆw ＜０．９０                            ・・・（２０）’
以下を満足するとなおよい。
【０１６６】
０．７４＜Ｉm ／ｆw ＜０．７７                            ・・・（２０）”
【発明の効果】
【０１６７】
本発明によれば、第３レンズ群の小型化に有利でありながら、第１レンズ群、第２レンズ群の工夫を行うことで、沈胴時の小型化や、画角の確保、光学性能の確保を行いやすいズームレンズを提供することができる。また、そのようなズームレンズを備えることで、小型化しやすい電子撮像装置を提供することができる。さらには、ズームレンズの各レンズ群等の工夫により、小型化、収差性能の確保、変倍比の確保をより行いやすいズームレンズ及び電子撮像装置を提供することができる。
【発明を実施するための最良の形態】
【０１６８】
以下に示す本発明に基づく実施例では、上述のような工夫を施すことで、カメラの携帯性を損なうことなく、従来よりも撮影領域を広げたいというユーザーの要望を満たせるようなカメラの小型化と広角化・高変倍比化を同時に満たしており、撮影画像の画質が良好に維持された、ＣＣＤやＣＭＯＳ等の電子撮像素子に適している、安価なズームレンズ光学系を提供している。
【０１６９】
具体的には、鏡筒の沈胴時の薄型化に適していて、半画角が３９°程度の広画角、５倍程度の高変倍比化が確保されており、さらに、撮影画像の画質が良好に維持された、ＣＣＤやＣＭＯＳ等の電子撮像素子に適した安価なズームレンズ光学系を提供している。
【０１７０】
以下、本発明のズームレンズの実施例１〜２０について説明する。実施例１〜２０の無限遠物点合焦時の広角端（ａ）、中間状態（ｂ）、望遠端（ｃ）でのレンズ断面図をそれぞれ図１〜図２０に示す。各図中、第１レンズ群はＧ１、第２レンズ群はＧ２、開口絞りはＳ、第３レンズ群はＧ３、第４レンズ群はＧ４、第５レンズ群はＧ５、光学的ローパスフィルターはＦ、電子撮像素子であるＣＣＤのカバーガラスはＣ、ＣＣＤの像面はＩで示してある。なお、近赤外シャープカットコートについては、例えば光学的ローパスフィルターＦに直接コートを施こしてもよく、また、別に赤外カット吸収フィルターを配置してもよい。
【０１７１】
実施例１のズームレンズは、図１に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を広げながら物体側に凸の軌跡で移動し、望遠端では広角端の位置より若干物体側に位置する。
【０１７２】
物体側から順に、第１レンズ群Ｇ１は、物体側に凸面を向けた負メニスカスレンズと、物体側に凸面を向けた正メニスカスレンズからなり、第２レンズ群Ｇ２は、両凹負レンズと、像側に凸面を向けた正メニスカスレンズと、像側に凸面を向けた負メニスカスレンズからなり、第３レンズ群Ｇ３は、両凸正レンズと、物体側に凸面を向けた正メニスカスレンズと物体側に凸面を向けた負メニスカスレンズとの接合レンズからなり、第４レンズ群Ｇ４は、両凸正レンズ１枚からなる。
【０１７３】
非球面は、第２レンズ群Ｇ２の両凹負レンズの両面、負メニスカスレンズの像側の面、第３レンズ群Ｇ３の両凸正レンズの両面、第４レンズ群Ｇ４の両凸正レンズの物体側の面の６面に用いている。
【０１７４】
実施例２のズームレンズは、図２に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を広げながら物体側に凸の軌跡で移動し、望遠端では広角端の位置より若干物体側に位置する。
【０１７５】
物体側から順に、第１レンズ群Ｇ１は、物体側に凸面を向けた負メニスカスレンズと、物体側に凸面を向けた正メニスカスレンズからなり、第２レンズ群Ｇ２は、両凹負レンズと、像側に凸面を向けた正メニスカスレンズと、像側に凸面を向けた負メニスカスレンズからなり、第３レンズ群Ｇ３は、両凸正レンズと、物体側に凸面を向けた正メニスカスレンズと物体側に凸面を向けた負メニスカスレンズとの接合レンズからなり、第４レンズ群Ｇ４は、両凸正レンズ１枚からなる。
【０１７６】
非球面は、第２レンズ群Ｇ２の両凹負レンズの両面、負メニスカスレンズの像側の面、第３レンズ群Ｇ３の両凸正レンズの両面、第４レンズ群Ｇ４の両凸正レンズの物体側の面の６面に用いている。
【０１７７】
実施例３のズームレンズは、図３に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を広げながら物体側に凸の軌跡で移動し、望遠端では広角端の位置より若干物体側に位置する。
【０１７８】
物体側から順に、第１レンズ群Ｇ１は、物体側に凸面を向けた負メニスカスレンズと、物体側に凸面を向けた正メニスカスレンズからなり、第２レンズ群Ｇ２は、両凹負レンズと、両凸正レンズと、像側に凸面を向けた負メニスカスレンズからなり、第３レンズ群Ｇ３は、両凸正レンズと、物体側に凸面を向けた正メニスカスレンズと物体側に凸面を向けた負メニスカスレンズとの接合レンズからなり、第４レンズ群Ｇ４は、両凸正レンズ１枚からなる。
【０１７９】
非球面は、第２レンズ群Ｇ２の両凹負レンズの両面、負メニスカスレンズの像側の面、第３レンズ群Ｇ３の両凸正レンズの両面、第４レンズ群Ｇ４の両凸正レンズの物体側の面の６面に用いている。
【０１８０】
実施例４のズームレンズは、図４に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を広げながら物体側に凸の軌跡で移動し、望遠端では広角端の位置より若干物体側に位置する。
【０１８１】
物体側から順に、第１レンズ群Ｇ１は、物体側に凸面を向けた負メニスカスレンズと、物体側に凸面を向けた正メニスカスレンズからなり、第２レンズ群Ｇ２は、両凹負レンズと、像側に凸面を向けた正メニスカスレンズと像側に凸面を向けた負メニスカスレンズとの接合レンズからなり、第３レンズ群Ｇ３は、両凸正レンズと、物体側に凸面を向けた正メニスカスレンズと物体側に凸面を向けた負メニスカスレンズとの接合レンズからなり、第４レンズ群Ｇ４は、両凸正レンズ１枚からなる。
【０１８２】
非球面は、第２レンズ群Ｇ２の両凹負レンズの両面、接合レンズの最も像側の面、第３レンズ群Ｇ３の両凸正レンズの両面、第４レンズ群Ｇ４の両凸正レンズの物体側の面の６面に用いている。
【０１８３】
実施例５のズームレンズは、図５に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を広げながら物体側に凸の軌跡で移動し、望遠端では広角端の位置より若干物体側に位置する。
【０１８４】
物体側から順に、第１レンズ群Ｇ１は、物体側に凸面を向けた負メニスカスレンズと、両凸正レンズからなり、第２レンズ群Ｇ２は、両凹負レンズと、像側に凸面を向けた正メニスカスレンズと像側に凸面を向けた負メニスカスレンズとの接合レンズからなり、第３レンズ群Ｇ３は、両凸正レンズと、物体側に凸面を向けた正メニスカスレンズと物体側に凸面を向けた負メニスカスレンズとの接合レンズからなり、第４レンズ群Ｇ４は、両凸正レンズ１枚からなる。
【０１８５】
非球面は、第２レンズ群Ｇ２の両凹負レンズの両面、接合レンズの最も像側の面、第３レンズ群Ｇ３の両凸正レンズの両面、第４レンズ群Ｇ４の両凸正レンズの物体側の面の６面に用いている。
【０１８６】
実施例６のズームレンズは、図６に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を広げながら物体側に凸の軌跡で移動し、望遠端では広角端の位置より若干物体側に位置する。
【０１８７】
物体側から順に、第１レンズ群Ｇ１は、物体側に凸面を向けた負メニスカスレンズと、物体側に凸面を向けた正メニスカスレンズからなり、第２レンズ群Ｇ２は、両凹負レンズと、像側に凸面を向けた正メニスカスレンズと、像側に凸面を向けた負メニスカスレンズからなり、第３レンズ群Ｇ３は、両凸正レンズと、物体側に凸面を向けた正メニスカスレンズと物体側に凸面を向けた負メニスカスレンズとの接合レンズからなり、第４レンズ群Ｇ４は、両凸正レンズ１枚からなる。
【０１８８】
非球面は、第２レンズ群Ｇ２の両凹負レンズの両面、負メニスカスレンズの像側の面、第３レンズ群Ｇ３の両凸正レンズの両面、第４レンズ群Ｇ４の両凸正レンズの物体側の面の６面に用いている。
【０１８９】
実施例７のズームレンズは、図７に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を広げながら物体側に凸の軌跡で移動し、望遠端では広角端の位置より若干物体側に位置する。
【０１９０】
物体側から順に、第１レンズ群Ｇ１は、物体側に凸面を向けた負メニスカスレンズと、物体側に凸面を向けた正メニスカスレンズからなり、第２レンズ群Ｇ２は、両凹負レンズと、像側に凸面を向けた正メニスカスレンズと、像側に凸面を向けた負メニスカスレンズからなり、第３レンズ群Ｇ３は、両凸正レンズと、物体側に凸面を向けた正メニスカスレンズと物体側に凸面を向けた負メニスカスレンズとの接合レンズからなり、第４レンズ群Ｇ４は、両凸正レンズ１枚からなる。
【０１９１】
非球面は、第２レンズ群Ｇ２の両凹負レンズの両面、負メニスカスレンズの像側の面、第３レンズ群Ｇ３の両凸正レンズの両面、第４レンズ群Ｇ４の両凸正レンズの物体側の面の６面に用いている。
【０１９２】
実施例８のズームレンズは、図８に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を広げながら物体側に凸の軌跡で移動し、望遠端では広角端の位置より若干物体側に位置する。
【０１９３】
物体側から順に、第１レンズ群Ｇ１は、物体側に凸面を向けた負メニスカスレンズと、物体側に凸面を向けた正メニスカスレンズからなり、第２レンズ群Ｇ２は、両凹負レンズと、像側に凸面を向けた正メニスカスレンズと像側に凸面を向けた負メニスカスレンズとの接合レンズからなり、第３レンズ群Ｇ３は、両凸正レンズと、物体側に凸面を向けた正メニスカスレンズと物体側に凸面を向けた負メニスカスレンズとの接合レンズからなり、第４レンズ群Ｇ４は、両凸正レンズ１枚からなる。
【０１９４】
非球面は、第２レンズ群Ｇ２の両凹負レンズの両面、接合レンズの最も像側の面、第３レンズ群Ｇ３の両凸正レンズの両面、第４レンズ群Ｇ４の両凸正レンズの物体側の面の６面に用いている。
【０１９５】
実施例９のズームレンズは、図９に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を広げながら物体側に凸の軌跡で移動し、望遠端では広角端の位置より若干物体側に位置する。
【０１９６】
物体側から順に、第１レンズ群Ｇ１は、物体側に凸面を向けた負メニスカスレンズと、物体側に凸面を向けた正メニスカスレンズからなり、第２レンズ群Ｇ２は、両凹負レンズと、像側に凸面を向けた正メニスカスレンズと像側に凸面を向けた負メニスカスレンズとの接合レンズからなり、第３レンズ群Ｇ３は、両凸正レンズと、物体側に凸面を向けた正メニスカスレンズと物体側に凸面を向けた負メニスカスレンズとの接合レンズからなり、第４レンズ群Ｇ４は、両凸正レンズ１枚からなる。
【０１９７】
非球面は、第２レンズ群Ｇ２の両凹負レンズの両面、接合レンズの最も像側の面、第３レンズ群Ｇ３の両凸正レンズの両面、第４レンズ群Ｇ４の両凸正レンズの物体側の面の６面に用いている。
【０１９８】
実施例１０のズームレンズは、図１０に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は像側に凸の軌跡で移動し、中間状態では広角端の位置より若干像側に位置し、望遠端では広角端の位置より物体側に位置し、第２レンズ群Ｇ２は第１レンズ群Ｇ１との間隔を広げながら像側へ移動する。開口絞りＳと第３レンズ群Ｇ３は一体に物体側へ移動し、第４レンズ群Ｇ４は広角端から中間状態までは第３レンズ群Ｇ３との間隔を広げながら物体側へ移動し、中間状態から望遠端までは略固定である。
【０１９９】
物体側から順に、第１レンズ群Ｇ１は、物体側に凸面を向けた負メニスカスレンズと物体側に凸面を向けた正メニスカスレンズとの接合レンズからなり、第２レンズ群Ｇ２は、両凹負レンズと、両凸正レンズと、像側に凸面を向けた負メニスカスレンズからなり、第３レンズ群Ｇ３は、両凸正レンズと、物体側に凸面を向けた正メニスカスレンズと物体側に凸面を向けた負メニスカスレンズとの接合レンズからなり、第４レンズ群Ｇ４は、両凸正レンズ１枚からなる。
【０２００】
非球面は、第２レンズ群Ｇ２の両凹負レンズの両面、負メニスカスレンズの像側の面、第３レンズ群Ｇ３の両凸正レンズの両面、第４レンズ群Ｇ４の両凸正レンズの物体側の面の６面に用いている。
【０２０１】
実施例１１のズームレンズは、図１１に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は広角端から中間状態までは第３レンズ群Ｇ３との間隔を広げながら物体側へ移動し、中間状態から望遠端までは略固定である。
【０２０２】
物体側から順に、第１レンズ群Ｇ１は、物体側に凸面を向けた負メニスカスレンズと、物体側に凸面を向けた正メニスカスレンズからなり、第２レンズ群Ｇ２は、物体側に凸面を向けた負メニスカスレンズと、両凸正レンズと、像側に凸面を向けた負メニスカスレンズからなり、第３レンズ群Ｇ３は、両凸正レンズと、物体側に凸面を向けた正メニスカスレンズと物体側に凸面を向けた負メニスカスレンズとの接合レンズからなり、第４レンズ群Ｇ４は、両凸正レンズ１枚からなる。
【０２０３】
非球面は、第２レンズ群Ｇ２の物体側の負メニスカスレンズの像側の面、像側の負メニスカスレンズの像側の面、第３レンズ群Ｇ３の両凸正レンズの両面、第４レンズ群Ｇ４の両凸正レンズの物体側の面の５面に用いている。
【０２０４】
実施例１２のズームレンズは、図１２に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を広げながら物体側に凸の軌跡で移動し、望遠端では広角端の位置より若干物体側に位置する。
【０２０５】
物体側から順に、第１レンズ群Ｇ１は、物体側に凸面を向けた負メニスカスレンズと、物体側に凸面を向けた正メニスカスレンズからなり、第２レンズ群Ｇ２は、両凹負レンズと、像側に凸面を向けた正メニスカスレンズと、像側に凸面を向けた負メニスカスレンズからなり、第３レンズ群Ｇ３は、両凸正レンズと、物体側に凸面を向けた正メニスカスレンズと物体側に凸面を向けた負メニスカスレンズとの接合レンズからなり、第４レンズ群Ｇ４は、両凸正レンズ１枚からなる。
【０２０６】
非球面は、第２レンズ群Ｇ２の両凹負レンズの両面、負メニスカスレンズの物体側の面、第３レンズ群Ｇ３の両凸正レンズの両面、第４レンズ群Ｇ４の両凸正レンズの物体側の面の６面に用いている。
【０２０７】
実施例１３のズームレンズは、図１３に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を広げながら物体側に凸の軌跡で移動し、望遠端では広角端の位置より若干物体側に位置する。
【０２０８】
物体側から順に、第１レンズ群Ｇ１は、物体側に凸面を向けた負メニスカスレンズと、物体側に凸面を向けた正メニスカスレンズからなり、第２レンズ群Ｇ２は、両凹負レンズと、像側に凸面を向けた正メニスカスレンズと、像側に凸面を向けた負メニスカスレンズからなり、第３レンズ群Ｇ３は、両凸正レンズと、物体側に凸面を向けた正メニスカスレンズと物体側に凸面を向けた負メニスカスレンズとの接合レンズからなり、第４レンズ群Ｇ４は、両凸正レンズ１枚からなる。
【０２０９】
非球面は、第２レンズ群Ｇ２の両凹負レンズの両面、負メニスカスレンズの両面、第３レンズ群Ｇ３の両凸正レンズの両面、第４レンズ群Ｇ４の両凸正レンズの物体側の面の７面に用いている。
【０２１０】
実施例１４のズームレンズは、図１４に示すように、物体側から順に、正屈折力の第１レンズ群Ｇ１、負屈折力の第２レンズ群Ｇ２、開口絞りＳ、正屈折力の第３レンズ群Ｇ３、負屈折力の第４レンズ群Ｇ４、正屈折力の第５レンズ群Ｇ５から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を一旦広げ次いで狭めながら物体側に移動し、第５レンズ群Ｇ５は第４レンズ群Ｇ４との間隔を広げながら物体側へ移動する。
【０２１１】
物体側から順に、第１レンズ群Ｇ１は、物体側に凸面を向けた負メニスカスレンズと、物体側に凸面を向けた正メニスカスレンズからなり、第２レンズ群Ｇ２は、両凹負レンズと、像側に凸面を向けた正メニスカスレンズと像側に凸面を向けた負メニスカスレンズとの接合レンズからなり、第３レンズ群Ｇ３は、両凸正レンズ１枚からなり、第４レンズ群Ｇ４は、物体側に凸面を向けた正メニスカスレンズと物体側に凸面を向けた負メニスカスレンズとの接合レンズからなり、第５レンズ群Ｇ５は、両凸正レンズ１枚からなる。
【０２１２】
非球面は、第２レンズ群Ｇ２の両凹負レンズの両面、接合レンズの最も像側の面、第３レンズ群Ｇ３の両凸正レンズの両面、第５レンズ群Ｇ５の両凸正レンズの物体側の面の６面に用いている。
【０２１３】
実施例１５のズームレンズは、図１５に示すように、物体側から順に、正屈折力の第１レンズ群Ｇ１、負屈折力の第２レンズ群Ｇ２、開口絞りＳ、正屈折力の第３レンズ群Ｇ３、負屈折力の第４レンズ群Ｇ４、正屈折力の第５レンズ群Ｇ５から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を一旦広げ次いで狭めながら物体側に移動し、第５レンズ群Ｇ５は第４レンズ群Ｇ４との間隔を広げながら物体側に凸の軌跡で移動し、望遠端では広角端の位置より若干物体側に位置する。
【０２１４】
物体側から順に、第１レンズ群Ｇ１は、物体側に凸面を向けた負メニスカスレンズと、物体側に凸面を向けた正メニスカスレンズからなり、第２レンズ群Ｇ２は、両凹負レンズと、像側に凸面を向けた正メニスカスレンズと、像側に凸面を向けた負メニスカスレンズからなり、第３レンズ群Ｇ３は、両凸正レンズ１枚からなり、第４レンズ群Ｇ４は、物体側に凸面を向けた正メニスカスレンズと物体側に凸面を向けた負メニスカスレンズとの接合レンズからなり、第５レンズ群Ｇ５は、両凸正レンズ１枚からなる。
【０２１５】
非球面は、第２レンズ群Ｇ２の両凹負レンズの両面、負メニスカスレンズの物体側の面、第３レンズ群Ｇ３の両凸正レンズの両面、第５レンズ群Ｇ５の両凸正レンズの物体側の面の６面に用いている。
【０２１６】
実施例１６のズームレンズは、図１６に示すように、物体側から順に、正屈折力の第１レンズ群Ｇ１、負屈折力の第２レンズ群Ｇ２、開口絞りＳ、正屈折力の第３レンズ群Ｇ３、負屈折力の第４レンズ群Ｇ４、正屈折力の第５レンズ群Ｇ５から構成されており、広角端から望遠端への変倍をする際に、第１レンズ群Ｇ１は物体側へ移動し、第２レンズ群Ｇ２は像側に凸の軌跡で移動し、望遠端では広角端の位置より像側に位置する。開口絞りＳと第３レンズ群Ｇ３は一体に物体側へ移動し、第４レンズ群Ｇ４は第３レンズ群Ｇ３との間隔を一旦広げ次いで狭めながら物体側に移動し、第５レンズ群Ｇ５は第４レンズ群Ｇ４との間隔を広げながら物体側に凸の軌跡で移動し、望遠端では広角端の位置より若干物体側に位置する。
【０２１７】
物体側から順に、第１レンズ群Ｇ１は、物体側に凸面を向けた負メニスカスレンズと、両凸正レンズからなり、第２レンズ群Ｇ２は、両凹負レンズと、像側に凸面を向けた正メニスカスレンズと像側に凸面を向けた負メニスカスレンズとの接合レンズからなり、第３レンズ群Ｇ３は、両凸正レンズ１枚からなり、第４レンズ群Ｇ４は、物体側に凸面を向けた正メニスカスレンズと物体側に凸面を向けた負メニスカスレンズとの接合レンズからなり、第５レンズ群Ｇ５は、両凸正レンズ１枚からなる。
【０２１８】
非球面は、第２レンズ群Ｇ２の両凹負レンズの両面、接合レンズの最も像側の面、第３レンズ群Ｇ３の両凸正レンズの両面、第５レンズ群Ｇ５の両凸正レンズの物体側の面の６面に用いている。
【０２１９】
実施例１７のズームレンズは、図１７に示すように、物体側から順に、正屈折力の第１レンズ群Ｇ１、負屈折力の第２レンズ群Ｇ２、開口絞りＳ、正屈折力の第３レンズ群Ｇ３、負屈折力の第４レンズ群Ｇ４、正屈折力の第５レンズ群Ｇ５から構成されており、広角端から望遠端への変倍をする際に、第１レンズ群Ｇ１は像側に凸の軌跡で移動し、中間状態では広角端の位置より若干像側に位置し、望遠端では広角端の位置より物体側に位置する。第２レンズ群Ｇ２は像側へ移動する。開口絞りＳと第３レンズ群Ｇ３は一体に物体側に凸の軌跡で移動し、望遠端では中間状態の位置より若干像側であって広角端の位置より物体側に位置し、第４レンズ群Ｇ４は第３レンズ群Ｇ３との間隔を一旦広げ次いで狭めながら物体側に凸の軌跡で移動し、望遠端では中間状態の位置より若干像側であって広角端の位置より物体側に位置し、第５レンズ群Ｇ５は第４レンズ群Ｇ４との間隔を一旦広げ次いで若干狭めながら物体側に凸の軌跡で移動し、望遠端では広角端の位置より若干物体側に位置する。
【０２２０】
物体側から順に、第１レンズ群Ｇ１は、物体側に凸面を向けた負メニスカスレンズと物体側に凸面を向けた正メニスカスレンズとの接合レンズからなり、第２レンズ群Ｇ２は、両凹負レンズと、像側に凸面を向けた正メニスカスレンズと、像側に凸面を向けた負メニスカスレンズからなり、第３レンズ群Ｇ３は、両凸正レンズ１枚からなり、第４レンズ群Ｇ４は、物体側に凸面を向けた正メニスカスレンズと物体側に凸面を向けた負メニスカスレンズとの接合レンズからなり、第５レンズ群Ｇ５は、両凸正レンズ１枚からなる。
【０２２１】
非球面は、第２レンズ群Ｇ２の両凹負レンズの両面、負メニスカスレンズの像側の面、第３レンズ群Ｇ３の両凸正レンズの両面、第５レンズ群Ｇ５の両凸正レンズの物体側の面の６面に用いている。
【０２２２】
実施例１８のズームレンズは、図１８に示すように、物体側から順に、正屈折力の第１レンズ群Ｇ１、負屈折力の第２レンズ群Ｇ２、開口絞りＳ、正屈折力の第３レンズ群Ｇ３、負屈折力の第４レンズ群Ｇ４、正屈折力の第５レンズ群Ｇ５から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を一旦広げ次いで狭めながら物体側へ移動し、第５レンズ群Ｇ５は第４レンズ群Ｇ４との間隔を広げながら物体側に凸の軌跡で移動し、望遠端では広角端の位置より若干物体側に位置する。
【０２２３】
物体側から順に、第１レンズ群Ｇ１は、物体側に凸面を向けた負メニスカスレンズと、物体側に凸面を向けた正メニスカスレンズからなり、第２レンズ群Ｇ２は、両凹負レンズと、像側に凸面を向けた正メニスカスレンズと、像側に凸面を向けた負メニスカスレンズからなり、第３レンズ群Ｇ３は、両凸正レンズ１枚からなり、第４レンズ群Ｇ４は、物体側に凸面を向けた正メニスカスレンズと物体側に凸面を向けた負メニスカスレンズとの接合レンズからなり、第５レンズ群Ｇ５は、両凸正レンズ１枚からなる。
【０２２４】
非球面は、第２レンズ群Ｇ２の両凹負レンズの両面、負メニスカスレンズの像側の面、第３レンズ群Ｇ３の両凸正レンズの両面、第５レンズ群Ｇ５の両凸正レンズの物体側の面の６面に用いている。
【０２２５】
実施例１９のズームレンズは、図１９に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を広げながら物体側へ移動する。
【０２２６】
物体側から順に、第１レンズ群Ｇ１は、物体側に凸面を向けた正メニスカスレンズ１枚からなり、第２レンズ群Ｇ２は、両凹負レンズと、両凸正レンズと、像側に凸面を向けた負メニスカスレンズからなり、第３レンズ群Ｇ３は、両凸正レンズと、物体側に凸面を向けた正メニスカスレンズと物体側に凸面を向けた負メニスカスレンズとの接合レンズからなり、第４レンズ群Ｇ４は、像側に凸面を向けた正メニスカスレンズ１枚からなる。
【０２２７】
非球面は、第１レンズ群Ｇ１の正メニスカスレンズの両面、第２レンズ群Ｇ２の両凹負レンズの両面、負メニスカスレンズの像側の面、第３レンズ群Ｇ３の両凸正レンズの両面、第４レンズ群Ｇ４の正メニスカスレンズの物体側の面の８面に用いている。
【０２２８】
実施例２０のズームレンズは、図２０に示すように、物体側から順に、正屈折力の第１レンズ群Ｇ１、負屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に物体側へ移動し、第４レンズ群Ｇ４は第３レンズ群Ｇ３との間隔を広げながら物体側へ移動する。
【０２２９】
物体側から順に、第１レンズ群Ｇ１は、物体側に凸面を向けた正メニスカスレンズ１枚からなり、第２レンズ群Ｇ２は、両凹負レンズと、両凸正レンズと、両凹負レンズからなり、第３レンズ群Ｇ３は、両凸正レンズと、物体側に凸面を向けた正メニスカスレンズと物体側に凸面を向けた負メニスカスレンズとの接合レンズからなり、第４レンズ群Ｇ４は、像側に凸面を向けた正メニスカスレンズ１枚からなる。
【０２３０】
非球面は、第１レンズ群Ｇ１の正メニスカスレンズの両面、第２レンズ群Ｇ２の物体側の両凹負レンズの両面、像側の両凹負レンズの像側の面、第３レンズ群Ｇ３の両凸正レンズの両面、第４レンズ群Ｇ４の正メニスカスレンズの物体側の面の８面に用いている。
【０２３１】
以下に、上記各実施例の数値データを示すが、記号は上記の外、ｆは全系焦点距離、ＦNOはＦナンバー、２ωは画角、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【０２３２】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10
ただし、ｒは近軸曲率半径、Ｋは円錐係数、Ａ4 、Ａ6 、Ａ8 、Ａ10はそれぞれ４次、６次、８次、１０次の非球面係数である。
【０２３３】
実施例１
ｒ1 =    19.996             ｄ1 =  0.80     ｎd1 =1.92286 νd1 =18.90 
ｒ2 =    15.394             ｄ2 =  0.26     
ｒ3 =    17.278             ｄ3 =  3.11     ｎd2 =1.76802 νd2 =49.24 
ｒ4 =   534.344             ｄ4 = （可変）  
ｒ5 =   -58.703 （非球面）  ｄ5 =  0.82     ｎd3 =1.88300 νd3 =40.76 
ｒ6 =     5.969 （非球面）  ｄ6 =  2.65     
ｒ7 =  -431.058             ｄ7 =  1.95     ｎd4 =2.00170 νd4 =20.64 
ｒ8 =   -14.597             ｄ8 =  0.07     
ｒ9 =   -13.708             ｄ9 =  0.67     ｎd5 =1.81600 νd5 =46.62 
ｒ10=   -67.948 （非球面）  ｄ10= （可変）  
ｒ11=     ∞（絞り）        ｄ11=  0.10     
ｒ12=     5.491 （非球面）  ｄ12=  2.70     ｎd6 =1.58913 νd6 =61.14 
ｒ13=   -11.075 （非球面）  ｄ13=  0.10     
ｒ14=     5.503             ｄ14=  1.38     ｎd7 =1.59201 νd7 =67.02 
ｒ15=    13.913             ｄ15=  0.80     ｎd8 =2.00069 νd8 =25.46 
ｒ16=     3.463             ｄ16= （可変）  
ｒ17=    19.919 （非球面）  ｄ17=  2.07     ｎd9 =1.74330 νd9 =49.33 
ｒ18=   -25.922             ｄ18= （可変）  
ｒ19=     ∞                ｄ19=  0.40     ｎd10=1.54771 νd10=62.84 
ｒ20=     ∞                ｄ20=  0.50     
ｒ21=     ∞                ｄ21=  0.50     ｎd11=1.51633 νd11=64.14 
ｒ22=     ∞                ｄ22=  0.36     
ｒ23=     ∞（像面）        
非球面係数
第５面
Ｋ  =  0.000
Ａ4 =  1.99104×10-4
Ａ6 = -8.59909×10-6
Ａ8 =  2.01071×10-7
Ａ10= -1.73584×10-9
第６面
Ｋ  =  0.000
Ａ4 =  7.61962×10-5
Ａ6 =  2.30339×10-5
Ａ8 = -1.98717×10-6
Ａ10=  4.99512×10-8
第１０面
Ｋ  = 10.849
Ａ4 = -2.64668×10-4
Ａ6 = -1.16671×10-6
Ａ8 = -1.29451×10-7
Ａ10=  0
第１２面
Ｋ  = -0.000
Ａ4 = -9.20803×10-4
Ａ6 =  7.90503×10-6
Ａ8 = -4.58612×10-6
Ａ10=  5.46733×10-7
第１３面
Ｋ  =  0.000
Ａ4 =  5.31169×10-4
Ａ6 =  2.85804×10-5
Ａ8 = -8.58478×10-6
Ａ10=  9.90563×10-7
第１７面
Ｋ  =  0.000
Ａ4 = -2.06640×10-6
Ａ6 =  1.19043×10-5
Ａ8 = -4.13589×10-7
Ａ10=  6.77582×10-9
ズームデータ（∞）
ＷＥ            ＳＴ            ＴＥ
ｆ (mm)             5.06           12.01           24.29
ＦNO                3.10            4.58            4.91
２ω（°）         80.14           35.47           17.64
ｄ4                 0.73            4.49           13.26
ｄ10               10.82            3.67            0.68
ｄ16                2.75            8.58            9.99
ｄ18                2.83            3.05            2.97                    。
【０２３４】
実施例２
ｒ1 =    23.279             ｄ1 =  0.80     ｎd1 =1.92286 νd1 =18.90 
ｒ2 =    16.155             ｄ2 =  0.18     
ｒ3 =    17.729             ｄ3 =  3.05     ｎd2 =1.85719 νd2 =43.01 
ｒ4 =   577.289             ｄ4 = （可変）  
ｒ5 =   -57.796 （非球面）  ｄ5 =  0.80     ｎd3 =1.83481 νd3 =42.71 
ｒ6 =     5.963 （非球面）  ｄ6 =  2.79     
ｒ7 =  -136.071             ｄ7 =  1.78     ｎd4 =1.94595 νd4 =17.98 
ｒ8 =   -16.198             ｄ8 =  0.09     
ｒ9 =   -14.697             ｄ9 =  0.68     ｎd5 =1.83481 νd5 =42.71 
ｒ10=   -44.810 （非球面）  ｄ10= （可変）  
ｒ11=     ∞（絞り）        ｄ11=  0.10     
ｒ12=     5.548 （非球面）  ｄ12=  2.70     ｎd6 =1.58913 νd6 =61.14 
ｒ13=   -10.984 （非球面）  ｄ13=  0.10     
ｒ14=     5.510             ｄ14=  1.36     ｎd7 =1.59201 νd7 =67.02 
ｒ15=    13.333             ｄ15=  0.80     ｎd8 =2.00069 νd8 =25.46 
ｒ16=     3.476             ｄ16= （可変）  
ｒ17=    19.243 （非球面）  ｄ17=  2.07     ｎd9 =1.74330 νd9 =49.33 
ｒ18=   -28.285             ｄ18= （可変）  
ｒ19=     ∞                ｄ19=  0.40     ｎd10=1.54771 νd10=62.84 
ｒ20=     ∞                ｄ20=  0.50     
ｒ21=     ∞                ｄ21=  0.50     ｎd11=1.51633 νd11=64.14 
ｒ22=     ∞                ｄ22=  0.36     
ｒ23=     ∞（像面）        
非球面係数
第５面
Ｋ  =  0.000
Ａ4 =  1.91532×10-4
Ａ6 = -6.16585×10-6
Ａ8 =  9.93129×10-8
Ａ10= -6.19551×10-10 
第６面
Ｋ  =  0.000
Ａ4 =  8.56780×10-5
Ａ6 =  2.37196×10-5
Ａ8 = -1.32112×10-6
Ａ10=  1.29769×10-8
第１０面
Ｋ  =  5.360
Ａ4 = -2.35672×10-4
Ａ6 = -2.32986×10-6
Ａ8 =  3.46565×10-8
Ａ10=  0
第１２面
Ｋ  = -0.000
Ａ4 = -9.12531×10-4
Ａ6 = -2.10029×10-6
Ａ8 = -2.33162×10-6
Ａ10=  3.38870×10-7
第１３面
Ｋ  =  0.000
Ａ4 =  5.13813×10-4
Ａ6 =  9.30700×10-6
Ａ8 = -3.76459×10-6
Ａ10=  5.20840×10-7
第１７面
Ｋ  =  0.000
Ａ4 =  1.55240×10-5
Ａ6 =  1.05486×10-5
Ａ8 = -3.44689×10-7
Ａ10=  5.43477×10-9
ズームデータ（∞）
ＷＥ            ＳＴ            ＴＥ
ｆ (mm)             5.06           12.01           24.29
ＦNO                3.11            4.54            4.94
２ω（°）         80.14           35.40           17.62
ｄ4                 0.73            4.73           13.26
ｄ10               10.87            3.73            0.66
ｄ16                2.77            8.48           10.09
ｄ18                2.86            3.06            2.97                    。
【０２３５】
実施例３
ｒ1 =    24.343             ｄ1 =  0.80     ｎd1 =1.92286 νd1 =18.90 
ｒ2 =    16.189             ｄ2 =  0.16     
ｒ3 =    17.639             ｄ3 =  3.05     ｎd2 =1.88300 νd2 =40.76 
ｒ4 =   598.304             ｄ4 = （可変）  
ｒ5 =   -58.725 （非球面）  ｄ5 =  0.82     ｎd3 =1.88300 νd3 =40.76 
ｒ6 =     6.041 （非球面）  ｄ6 =  2.60     
ｒ7 =   407.018             ｄ7 =  2.01     ｎd4 =2.00170 νd4 =20.64 
ｒ8 =   -14.787             ｄ8 =  0.08     
ｒ9 =   -13.762             ｄ9 =  0.68     ｎd5 =1.83481 νd5 =42.71 
ｒ10=   -88.096 （非球面）  ｄ10= （可変）  
ｒ11=     ∞（絞り）        ｄ11=  0.10     
ｒ12=     5.462 （非球面）  ｄ12=  2.70     ｎd6 =1.58913 νd6 =61.14 
ｒ13=   -11.013 （非球面）  ｄ13=  0.10     
ｒ14=     5.530             ｄ14=  1.36     ｎd7 =1.59201 νd7 =67.02 
ｒ15=    13.426             ｄ15=  0.80     ｎd8 =2.00069 νd8 =25.46 
ｒ16=     3.443             ｄ16= （可変）  
ｒ17=    19.462 （非球面）  ｄ17=  2.07     ｎd9 =1.74330 νd9 =49.33 
ｒ18=   -27.222             ｄ18= （可変）  
ｒ19=     ∞                ｄ19=  0.40     ｎd10=1.54771 νd10=62.84 
ｒ20=     ∞                ｄ20=  0.50     
ｒ21=     ∞                ｄ21=  0.50     ｎd11=1.51633 νd11=64.14 
ｒ22=     ∞                ｄ22=  0.36     
ｒ23=     ∞（像面）        
非球面係数
第５面
Ｋ  =  0.000
Ａ4 =  1.78466×10-4
Ａ6 = -8.17272×10-6
Ａ8 =  2.01295×10-7
Ａ10= -1.77746×10-9
第６面
Ｋ  =  0.000
Ａ4 =  5.13913×10-5
Ａ6 =  2.24397×10-5
Ａ8 = -1.94651×10-6
Ａ10=  5.11678×10-8
第１０面
Ｋ  = 11.427
Ａ4 = -2.56902×10-4
Ａ6 = -1.57604×10-6
Ａ8 = -1.15551×10-7
Ａ10=  0
第１２面
Ｋ  = -0.000
Ａ4 = -9.39293×10-4
Ａ6 = -5.83997×10-6
Ａ8 = -2.22901×10-6
Ａ10=  3.45022×10-7
第１３面
Ｋ  =  0.000
Ａ4 =  5.38804×10-4
Ａ6 =  3.49744×10-6
Ａ8 = -2.93189×10-6
Ａ10=  4.74550×10-7
第１７面
Ｋ  =  0.000
Ａ4 =  2.27544×10-5
Ａ6 =  1.04163×10-5
Ａ8 = -3.36814×10-7
Ａ10=  5.32127×10-9
ズームデータ（∞）
ＷＥ            ＳＴ            ＴＥ
ｆ (mm)             5.06           12.01           24.29
ＦNO                3.11            4.62            4.92
２ω（°）         80.16           35.55           17.62
ｄ4                 0.73            4.28           13.31
ｄ10               10.93            3.71            0.72
ｄ16                2.76            8.74            9.98
ｄ18                2.84            3.04            2.97                    。
【０２３６】
実施例４
ｒ1 =    20.367             ｄ1 =  0.80     ｎd1 =1.92286 νd1 =18.90 
ｒ2 =    15.608             ｄ2 =  0.29     
ｒ3 =    17.741             ｄ3 =  3.14     ｎd2 =1.76802 νd2 =49.24 
ｒ4 =  3497.716             ｄ4 = （可変）  
ｒ5 =   -45.639 （非球面）  ｄ5 =  0.80     ｎd3 =1.83481 νd3 =42.71 
ｒ6 =     5.950 （非球面）  ｄ6 =  2.73     
ｒ7 =  -255.106             ｄ7 =  1.84     ｎd4 =1.92286 νd4 =18.90 
ｒ8 =   -15.843             ｄ8 =  0.68     ｎd5 =1.83481 νd5 =42.71 
ｒ9 =   -58.807 （非球面）  ｄ9 = （可変）  
ｒ10=     ∞（絞り）        ｄ10=  0.10     
ｒ11=     5.586 （非球面）  ｄ11=  2.70     ｎd6 =1.58913 νd6 =61.14 
ｒ12=   -11.262 （非球面）  ｄ12=  0.10     
ｒ13=     5.436             ｄ13=  1.38     ｎd7 =1.59201 νd7 =67.02 
ｒ14=    13.074             ｄ14=  0.80     ｎd8 =2.00069 νd8 =25.46 
ｒ15=     3.469             ｄ15= （可変）  
ｒ16=    19.614 （非球面）  ｄ16=  2.07     ｎd9 =1.74330 νd9 =49.33 
ｒ17=   -26.892             ｄ17= （可変）  
ｒ18=     ∞                ｄ18=  0.40     ｎd10=1.54771 νd10=62.84 
ｒ19=     ∞                ｄ19=  0.50     
ｒ20=     ∞                ｄ20=  0.50     ｎd11=1.51633 νd11=64.14 
ｒ21=     ∞                ｄ21=  0.36     
ｒ22=     ∞（像面）        
非球面係数
第５面
Ｋ  =  0.000
Ａ4 =  2.17672×10-4
Ａ6 = -5.32946×10-6
Ａ8 =  7.95875×10-8
Ａ10= -5.34232×10-10 
第６面
Ｋ  =  0.000
Ａ4 =  1.20203×10-4
Ａ6 =  2.54566×10-5
Ａ8 = -1.22695×10-6
Ａ10=  2.02973×10-8
第９面
Ｋ  = 19.659
Ａ4 = -2.47017×10-4
Ａ6 = -1.58699×10-6
Ａ8 = -1.04315×10-7
Ａ10=  0
第１１面
Ｋ  = -0.000
Ａ4 = -8.71078×10-4
Ａ6 = -4.22508×10-7
Ａ8 = -1.92565×10-6
Ａ10=  3.14754×10-7
第１２面
Ｋ  =  0.000
Ａ4 =  5.15823×10-4
Ａ6 =  1.00484×10-5
Ａ8 = -2.82400×10-6
Ａ10=  4.47946×10-7
第１６面
Ｋ  =  0.000
Ａ4 =  6.80361×10-6
Ａ6 =  1.09868×10-5
Ａ8 = -3.72817×10-7
Ａ10=  5.90895×10-9
ズームデータ（∞）
ＷＥ            ＳＴ            ＴＥ
ｆ (mm)             5.06           12.01           24.29
ＦNO                3.05            4.41            4.82
２ω（°）         80.12           35.18           17.61
ｄ4                 0.72            5.37           13.24
ｄ9                10.83            3.84            0.65
ｄ15                2.75            8.06           10.08
ｄ17                2.86            3.05            2.97                    。
【０２３７】
実施例５
ｒ1 =    25.173             ｄ1 =  0.80     ｎd1 =1.92286 νd1 =18.90 
ｒ2 =    16.537             ｄ2 =  0.20     
ｒ3 =    18.252             ｄ3 =  3.06     ｎd2 =1.88300 νd2 =40.76 
ｒ4 = -4161.584             ｄ4 = （可変）  
ｒ5 =   -44.093 （非球面）  ｄ5 =  0.80     ｎd3 =1.83481 νd3 =42.71 
ｒ6 =     6.129 （非球面）  ｄ6 =  2.67     
ｒ7 =  -897.611             ｄ7 =  1.86     ｎd4 =1.92286 νd4 =18.90 
ｒ8 =   -16.194             ｄ8 =  0.68     ｎd5 =1.83481 νd5 =42.71 
ｒ9 =   -75.584 （非球面）  ｄ9 = （可変）  
ｒ10=     ∞（絞り）        ｄ10=  0.10     
ｒ11=     5.515 （非球面）  ｄ11=  2.70     ｎd6 =1.58913 νd6 =61.14 
ｒ12=   -10.975 （非球面）  ｄ12=  0.10     
ｒ13=     5.494             ｄ13=  1.36     ｎd7 =1.59201 νd7 =67.02 
ｒ14=    12.850             ｄ14=  0.80     ｎd8 =2.00069 νd8 =25.46 
ｒ15=     3.429             ｄ15= （可変）  
ｒ16=    19.614 （非球面）  ｄ16=  2.07     ｎd9 =1.74330 νd9 =49.33 
ｒ17=   -27.158             ｄ17= （可変）  
ｒ18=     ∞                ｄ18=  0.40     ｎd10=1.54771 νd10=62.84 
ｒ19=     ∞                ｄ19=  0.50     
ｒ20=     ∞                ｄ20=  0.50     ｎd11=1.51633 νd11=64.14 
ｒ21=     ∞                ｄ21=  0.36     
ｒ22=     ∞（像面）        
非球面係数
第５面
Ｋ  =  0.000
Ａ4 =  2.01152×10-4
Ａ6 = -5.53549×10-6
Ａ8 =  1.09307×10-7
Ａ10= -9.22389×10-10 
第６面
Ｋ  =  0.000
Ａ4 =  1.24289×10-4
Ａ6 =  2.52204×10-5
Ａ8 = -1.55015×10-6
Ａ10=  3.87174×10-8
第９面
Ｋ  = 15.880
Ａ4 = -2.56363×10-4
Ａ6 =  3.83459×10-7
Ａ8 = -1.74921×10-7
Ａ10=  0
第１１面
Ｋ  = -0.000
Ａ4 = -9.56239×10-4
Ａ6 = -9.52999×10-6
Ａ8 = -3.92591×10-7
Ａ10=  1.39818×10-7
第１２面
Ｋ  =  0.000
Ａ4 =  4.88481×10-4
Ａ6 = -6.29539×10-6
Ａ8 =  4.03797×10-7
Ａ10=  1.15552×10-7
第１６面
Ｋ  =  0.000
Ａ4 =  3.74250×10-5
Ａ6 =  1.03247×10-5
Ａ8 = -3.43630×10-7
Ａ10=  5.32503×10-9
ズームデータ（∞）
ＷＥ            ＳＴ            ＴＥ
ｆ (mm)             5.06           12.01           24.29
ＦNO                3.10            4.44            4.96
２ω（°）         80.15           35.27           17.62
ｄ4                 0.72            5.21           13.32
ｄ9                11.01            3.94            0.73
ｄ15                2.77            8.18           10.05
ｄ17                2.83            3.00            2.97                    。
【０２３８】
実施例６
ｒ1 =    23.739             ｄ1 =  0.81     ｎd1 =1.94595 νd1 =17.98 
ｒ2 =    16.355             ｄ2 =  0.21     
ｒ3 =    18.106             ｄ3 =  3.01     ｎd2 =1.88300 νd2 =40.76 
ｒ4 =   846.562             ｄ4 = （可変）  
ｒ5 =   -52.113 （非球面）  ｄ5 =  0.82     ｎd3 =1.88300 νd3 =40.76 
ｒ6 =     6.190 （非球面）  ｄ6 =  2.65     
ｒ7 =  -235.098             ｄ7 =  1.86     ｎd4 =1.94595 νd4 =17.98 
ｒ8 =   -15.562             ｄ8 =  0.09     
ｒ9 =   -14.315             ｄ9 =  0.80     ｎd5 =1.88300 νd5 =40.76 
ｒ10=   -41.886 （非球面）  ｄ10= （可変）  
ｒ11=     ∞（絞り）        ｄ11=  0.10     
ｒ12=     5.555 （非球面）  ｄ12=  2.70     ｎd6 =1.58913 νd6 =61.14 
ｒ13=   -10.974 （非球面）  ｄ13=  0.10     
ｒ14=     5.438             ｄ14=  1.38     ｎd7 =1.59201 νd7 =67.02 
ｒ15=    13.503             ｄ15=  0.80     ｎd8 =2.00069 νd8 =25.46 
ｒ16=     3.433             ｄ16= （可変）  
ｒ17=    18.727 （非球面）  ｄ17=  2.07     ｎd9 =1.74330 νd9 =49.33 
ｒ18=   -29.343             ｄ18= （可変）  
ｒ19=     ∞                ｄ19=  0.40     ｎd10=1.54771 νd10=62.84 
ｒ20=     ∞                ｄ20=  0.50     
ｒ21=     ∞                ｄ21=  0.50     ｎd11=1.51633 νd11=64.14 
ｒ22=     ∞                ｄ22=  0.37     
ｒ23=     ∞（像面）        
非球面係数
第５面
Ｋ  =  0.000
Ａ4 =  2.02790×10-4
Ａ6 = -6.36728×10-6
Ａ8 =  1.15320×10-7
Ａ10= -8.37226×10-10 
第６面
Ｋ  =  0.000
Ａ4 =  8.20642×10-5
Ａ6 =  2.47151×10-5
Ａ8 = -1.53936×10-6
Ａ10=  2.64133×10-8
第１０面
Ｋ  =  6.008
Ａ4 = -2.06900×10-4
Ａ6 = -2.13247×10-6
Ａ8 =  1.58746×10-8
Ａ10=  0
第１２面
Ｋ  = -0.000
Ａ4 = -9.21086×10-4
Ａ6 = -6.31048×10-6
Ａ8 = -1.81135×10-6
Ａ10=  2.67397×10-7
第１３面
Ｋ  =  0.000
Ａ4 =  4.87773×10-4
Ａ6 =  3.10768×10-6
Ａ8 = -2.75976×10-6
Ａ10=  3.94656×10-7
第１７面
Ｋ  =  0.000
Ａ4 =  2.23802×10-5
Ａ6 =  1.07437×10-5
Ａ8 = -3.48358×10-7
Ａ10=  5.42112×10-9
ズームデータ（∞）
ＷＥ            ＳＴ            ＴＥ
ｆ (mm)             5.06           12.01           24.29
ＦNO                3.12            4.57            4.94
２ω（°）         80.16           35.42           17.62
ｄ4                 0.72            4.78           13.23
ｄ10               10.77            3.71            0.66
ｄ16                2.77            8.47           10.05
ｄ18                2.85            3.06            2.96                    。
【０２３９】
実施例７
ｒ1 =    23.679             ｄ1 =  0.81     ｎd1 =1.94595 νd1 =17.98 
ｒ2 =    16.309             ｄ2 =  0.20     
ｒ3 =    17.975             ｄ3 =  3.03     ｎd2 =1.88300 νd2 =40.76 
ｒ4 =   652.312             ｄ4 = （可変）  
ｒ5 =   -57.513 （非球面）  ｄ5 =  0.82     ｎd3 =1.88300 νd3 =40.76 
ｒ6 =     6.169 （非球面）  ｄ6 =  2.64     
ｒ7 =  -172.005             ｄ7 =  1.92     ｎd4 =2.10227 νd4 =17.10 
ｒ8 =   -18.412             ｄ8 =  0.11     
ｒ9 =   -15.586             ｄ9 =  0.80     ｎd5 =1.88300 νd5 =40.76 
ｒ10=   -47.805 （非球面）  ｄ10= （可変）  
ｒ11=     ∞（絞り）        ｄ11=  0.10     
ｒ12=     5.447 （非球面）  ｄ12=  2.70     ｎd6 =1.58913 νd6 =61.14 
ｒ13=   -10.900 （非球面）  ｄ13=  0.10     
ｒ14=     5.577             ｄ14=  1.35     ｎd7 =1.59201 νd7 =67.02 
ｒ15=    13.324             ｄ15=  0.80     ｎd8 =2.00069 νd8 =25.46 
ｒ16=     3.452             ｄ16= （可変）  
ｒ17=    19.617 （非球面）  ｄ17=  2.07     ｎd9 =1.74330 νd9 =49.33 
ｒ18=   -26.823             ｄ18= （可変）  
ｒ19=     ∞                ｄ19=  0.40     ｎd10=1.54771 νd10=62.84 
ｒ20=     ∞                ｄ20=  0.50     
ｒ21=     ∞                ｄ21=  0.50     ｎd11=1.51633 νd11=64.14 
ｒ22=     ∞                ｄ22=  0.36     
ｒ23=     ∞（像面）        
非球面係数
第５面
Ｋ  =  0.000
Ａ4 =  2.08796×10-4
Ａ6 = -7.65961×10-6
Ａ8 =  1.42959×10-7
Ａ10= -1.03287×10-9
第６面
Ｋ  =  0.000
Ａ4 =  9.25739×10-5
Ａ6 =  2.37928×10-5
Ａ8 = -1.56581×10-6
Ａ10=  2.33770×10-8
第１０面
Ｋ  = 13.662
Ａ4 = -2.04807×10-4
Ａ6 = -2.93679×10-6
Ａ8 =  7.51268×10-8
Ａ10=  0
第１２面
Ｋ  = -0.000
Ａ4 = -9.47047×10-4
Ａ6 = -9.73137×10-6
Ａ8 = -9.44664×10-7
Ａ10=  2.30496×10-7
第１３面
Ｋ  =  0.000
Ａ4 =  5.55221×10-4
Ａ6 = -3.16660×10-6
Ａ8 = -3.51784×10-7
Ａ10=  2.04855×10-7
第１７面
Ｋ  =  0.000
Ａ4 =  2.11262×10-5
Ａ6 =  1.08100×10-5
Ａ8 = -3.55468×10-7
Ａ10=  5.58942×10-9
ズームデータ（∞）
ＷＥ            ＳＴ            ＴＥ
ｆ (mm)             5.06           12.01           24.29
ＦNO                3.11            4.57            4.91
２ω（°）         80.18           35.47           17.61
ｄ4                 0.72            4.59           13.25
ｄ10               10.75            3.70            0.68
ｄ16                2.76            8.58            9.98
ｄ18                2.86            3.06            2.97                    。
【０２４０】
実施例８
ｒ1 =    23.572             ｄ1 =  0.81     ｎd1 =1.94595 νd1 =17.98 
ｒ2 =    16.325             ｄ2 =  0.19     
ｒ3 =    17.924             ｄ3 =  3.08     ｎd2 =1.88300 νd2 =40.76 
ｒ4 =   481.040             ｄ4 = （可変）  
ｒ5 =   -63.672 （非球面）  ｄ5 =  0.82     ｎd3 =1.88300 νd3 =40.76 
ｒ6 =     6.059 （非球面）  ｄ6 =  2.72     
ｒ7 =  -238.294             ｄ7 =  1.87     ｎd4 =2.10227 νd4 =17.10 
ｒ8 =   -19.462             ｄ8 =  0.80     ｎd5 =1.88300 νd5 =40.76 
ｒ9 =   -90.854 （非球面）  ｄ9 = （可変）  
ｒ10=     ∞（絞り）        ｄ10=  0.10     
ｒ11=     5.548 （非球面）  ｄ11=  2.70     ｎd6 =1.58913 νd6 =61.14 
ｒ12=   -11.217 （非球面）  ｄ12=  0.10     
ｒ13=     5.502             ｄ13=  1.39     ｎd7 =1.59201 νd7 =67.02 
ｒ14=    13.285             ｄ14=  0.80     ｎd8 =2.00069 νd8 =25.46 
ｒ15=     3.476             ｄ15= （可変）  
ｒ16=    19.903 （非球面）  ｄ16=  2.07     ｎd9 =1.74330 νd9 =49.33 
ｒ17=   -26.017             ｄ17= （可変）  
ｒ18=     ∞                ｄ18=  0.40     ｎd10=1.54771 νd10=62.84 
ｒ19=     ∞                ｄ19=  0.50     
ｒ20=     ∞                ｄ20=  0.50     ｎd11=1.51633 νd11=64.14 
ｒ21=     ∞                ｄ21=  0.36     
ｒ22=     ∞（像面）        
非球面係数
第５面
Ｋ  =  0.000
Ａ4 =  2.11173×10-4
Ａ6 = -8.21005×10-6
Ａ8 =  1.62208×10-7
Ａ10= -1.25817×10-9
第６面
Ｋ  =  0.000
Ａ4 =  1.55260×10-4
Ａ6 =  2.35459×10-5
Ａ8 = -1.47843×10-6
Ａ10=  2.40340×10-8
第９面
Ｋ  = 13.988
Ａ4 = -2.46764×10-4
Ａ6 = -3.00682×10-6
Ａ8 =  1.43307×10-8
Ａ10=  0
第１１面
Ｋ  = -0.000
Ａ4 = -8.70152×10-4
Ａ6 =  2.07452×10-6
Ａ8 = -2.51898×10-6
Ａ10=  3.52050×10-7
第１２面
Ｋ  =  0.000
Ａ4 =  5.43211×10-4
Ａ6 =  1.77046×10-5
Ａ8 = -4.53251×10-6
Ａ10=  5.84184×10-7
第１６面
Ｋ  =  0.000
Ａ4 =  1.55829×10-5
Ａ6 =  1.00684×10-5
Ａ8 = -3.25292×10-7
Ａ10=  5.11814×10-9
ズームデータ（∞）
ＷＥ            ＳＴ            ＴＥ
ｆ (mm)             5.06           12.01           24.29
ＦNO                3.03            4.45            4.73
２ω（°）         80.16           35.27           17.59
ｄ4                 0.72            5.02           13.27
ｄ9                10.82            3.84            0.72
ｄ15                2.75            8.31            9.95
ｄ17                2.86            3.04            2.97                    。
【０２４１】
実施例９
ｒ1 =    21.524             ｄ1 =  0.80     ｎd1 =1.92286 νd1 =18.90 
ｒ2 =    15.990             ｄ2 =  0.25     
ｒ3 =    18.038             ｄ3 =  3.04     ｎd2 =1.80400 νd2 =46.57 
ｒ4 =  1821.002             ｄ4 = （可変）  
ｒ5 =   -46.956 （非球面）  ｄ5 =  0.79     ｎd3 =1.80610 νd3 =40.92 
ｒ6 =     5.863 （非球面）  ｄ6 =  2.76     
ｒ7 =  -178.037             ｄ7 =  1.90     ｎd4 =1.92286 νd4 =18.90 
ｒ8 =   -14.340             ｄ8 =  0.67     ｎd5 =1.80610 νd5 =40.92 
ｒ9 =   -72.767 （非球面）  ｄ9 = （可変）  
ｒ10=     ∞（絞り）        ｄ10=  0.10     
ｒ11=     5.470 （非球面）  ｄ11=  2.70     ｎd6 =1.58913 νd6 =61.14 
ｒ12=   -11.162 （非球面）  ｄ12=  0.10     
ｒ13=     5.576             ｄ13=  1.36     ｎd7 =1.59201 νd7 =67.02 
ｒ14=    13.756             ｄ14=  0.80     ｎd8 =2.00069 νd8 =25.46 
ｒ15=     3.493             ｄ15= （可変）  
ｒ16=    19.520 （非球面）  ｄ16=  2.07     ｎd9 =1.74330 νd9 =49.33 
ｒ17=   -27.248             ｄ17= （可変）  
ｒ18=     ∞                ｄ18=  0.40     ｎd10=1.54771 νd10=62.84 
ｒ19=     ∞                ｄ19=  0.50     
ｒ20=     ∞                ｄ20=  0.50     ｎd11=1.51633 νd11=64.14 
ｒ21=     ∞                ｄ21=  0.36     
ｒ22=     ∞（像面）        
非球面係数
第５面
Ｋ  =  0.000
Ａ4 =  2.34682×10-4
Ａ6 = -7.08038×10-6
Ａ8 =  1.25390×10-7
Ａ10= -9.36786×10-10 
第６面
Ｋ  =  0.000
Ａ4 =  1.52904×10-4
Ａ6 =  2.55798×10-5
Ａ8 = -1.41637×10-6
Ａ10=  2.87416×10-8
第９面
Ｋ  =  4.725
Ａ4 = -2.74195×10-4
Ａ6 = -1.46147×10-6
Ａ8 = -1.44866×10-7
Ａ10=  0
第１１面
Ｋ  = -0.000
Ａ4 = -9.07011×10-4
Ａ6 =  6.10900×10-6
Ａ8 = -3.38866×10-6
Ａ10=  4.78449×10-7
第１２面
Ｋ  =  0.000
Ａ4 =  5.63212×10-4
Ａ6 =  2.36073×10-5
Ａ8 = -6.03623×10-6
Ａ10=  8.08280×10-7
第１６面
Ｋ  =  0.000
Ａ4 =  1.27541×10-5
Ａ6 =  1.11474×10-5
Ａ8 = -3.87618×10-7
Ａ10=  6.24145×10-9
ズームデータ（∞）
ＷＥ            ＳＴ            ＴＥ
ｆ (mm)             5.06           12.01           24.29
ＦNO                3.11            4.45            4.93
２ω（°）         80.13           35.19           17.61
ｄ4                 0.72            5.33           13.27
ｄ9                10.94            3.89            0.69
ｄ15                2.76            8.08           10.07
ｄ17                2.86            3.05            2.97                    。
【０２４２】
実施例１０
ｒ1 =    21.929             ｄ1 =  0.81     ｎd1 =1.94595 νd1 =17.98 
ｒ2 =    15.886             ｄ2 =  3.02     ｎd2 =1.83481 νd2 =42.71 
ｒ3 =    87.110             ｄ3 = （可変）  
ｒ4 =  -603.712 （非球面）  ｄ4 =  0.82     ｎd3 =1.88300 νd3 =40.76 
ｒ5 =     5.962 （非球面）  ｄ5 =  2.72     
ｒ6 =   108.526             ｄ6 =  1.76     ｎd4 =2.10227 νd4 =17.10 
ｒ7 =   -23.243             ｄ7 =  0.16     
ｒ8 =   -17.863             ｄ8 =  0.80     ｎd5 =1.88300 νd5 =40.76 
ｒ9 =  -201.302 （非球面）  ｄ9 = （可変）  
ｒ10=     ∞（絞り）        ｄ10=  0.10     
ｒ11=     5.737 （非球面）  ｄ11=  2.70     ｎd6 =1.58913 νd6 =61.14 
ｒ12=   -10.526 （非球面）  ｄ12=  0.10     
ｒ13=     5.184             ｄ13=  1.42     ｎd7 =1.59201 νd7 =67.02 
ｒ14=    12.685             ｄ14=  0.80     ｎd8 =2.00069 νd8 =25.46 
ｒ15=     3.389             ｄ15= （可変）  
ｒ16=    28.421 （非球面）  ｄ16=  2.07     ｎd9 =1.74330 νd9 =49.33 
ｒ17=   -19.743             ｄ17= （可変）  
ｒ18=     ∞                ｄ18=  0.40     ｎd10=1.54771 νd10=62.84 
ｒ19=     ∞                ｄ19=  0.50     
ｒ20=     ∞                ｄ20=  0.50     ｎd11=1.51633 νd11=64.14 
ｒ21=     ∞                ｄ21=  0.35     
ｒ22=     ∞（像面）        
非球面係数
第４面
Ｋ  =  0.000
Ａ4 =  1.17638×10-4
Ａ6 = -1.87398×10-6
Ａ8 = -1.21415×10-8
Ａ10=  3.25687×10-10 
第５面
Ｋ  =  0.000
Ａ4 =  9.74365×10-5
Ａ6 =  1.86507×10-5
Ａ8 = -6.27883×10-7
Ａ10= -6.71787×10-9
第９面
Ｋ  = 300.320 
Ａ4 = -2.68737×10-4
Ａ6 = -2.18216×10-8
Ａ8 = -4.79877×10-8
Ａ10=  0
第１１面
Ｋ  = -0.000
Ａ4 = -9.41932×10-4
Ａ6 = -1.82332×10-5
Ａ8 = -9.47875×10-7
Ａ10=  1.96272×10-7
第１２面
Ｋ  =  0.000
Ａ4 =  4.34113×10-4
Ａ6 = -1.86904×10-5
Ａ8 = -3.97394×10-7
Ａ10=  1.70317×10-7
第１６面
Ｋ  =  0.000
Ａ4 =  2.98825×10-5
Ａ6 =  7.00636×10-6
Ａ8 = -2.06857×10-7
Ａ10=  3.08660×10-9
ズームデータ（∞）
ＷＥ            ＳＴ            ＴＥ
ｆ (mm)             5.06           12.01           24.29
ＦNO                3.03            4.93            4.99
２ω（°）         80.21           36.18           17.76
ｄ3                 0.74            0.99           13.31
ｄ9                11.18            3.27            0.898 
ｄ15                2.71            9.95           10.21
ｄ17                2.64            2.99            2.99                    。
【０２４３】
実施例１１
ｒ1 =    21.541             ｄ1 =  0.81     ｎd1 =1.94595 νd1 =17.98 
ｒ2 =    15.611             ｄ2 =  0.24     
ｒ3 =    15.754             ｄ3 =  3.00     ｎd2 =1.83481 νd2 =42.71 
ｒ4 =    86.752             ｄ4 = （可変）  
ｒ5 =   689.472             ｄ5 =  0.82     ｎd3 =1.88300 νd3 =40.76 
ｒ6 =     5.858 （非球面）  ｄ6 =  2.64     
ｒ7 =   187.160             ｄ7 =  1.74     ｎd4 =2.10227 νd4 =17.10 
ｒ8 =   -20.892             ｄ8 =  0.11     
ｒ9 =   -17.292             ｄ9 =  0.80     ｎd5 =1.88300 νd5 =40.76 
ｒ10=  -218.644 （非球面）  ｄ10= （可変）  
ｒ11=     ∞（絞り）        ｄ11=  0.10     
ｒ12=     5.786 （非球面）  ｄ12=  2.70     ｎd6 =1.58913 νd6 =61.14 
ｒ13=   -10.671 （非球面）  ｄ13=  0.10     
ｒ14=     5.093             ｄ14=  1.45     ｎd7 =1.59201 νd7 =67.02 
ｒ15=    13.011             ｄ15=  0.80     ｎd8 =2.00069 νd8 =25.46 
ｒ16=     3.389             ｄ16= （可変）  
ｒ17=    26.835 （非球面）  ｄ17=  2.07     ｎd9 =1.74330 νd9 =49.33 
ｒ18=   -20.472             ｄ18= （可変）  
ｒ19=     ∞                ｄ19=  0.40     ｎd10=1.54771 νd10=62.84 
ｒ20=     ∞                ｄ20=  0.50     
ｒ21=     ∞                ｄ21=  0.50     ｎd11=1.51633 νd11=64.14 
ｒ22=     ∞                ｄ22=  0.35     
ｒ23=     ∞（像面）        
非球面係数
第６面
Ｋ  =  0.000
Ａ4 = -8.01634×10-6
Ａ6 =  1.74636×10-5
Ａ8 = -9.27328×10-7
Ａ10=  8.36328×10-9
第１０面
Ｋ  = 335.081 
Ａ4 = -2.97735×10-4
Ａ6 =  3.50224×10-6
Ａ8 = -1.54842×10-7
Ａ10=  0
第１２面
Ｋ  = -0.000
Ａ4 = -9.17134×10-4
Ａ6 =  1.14404×10-5
Ａ8 = -5.40338×10-6
Ａ10=  5.59156×10-7
第１３面
Ｋ  =  0.000
Ａ4 =  4.20917×10-4
Ａ6 =  2.06348×10-5
Ａ8 = -7.89133×10-6
Ａ10=  8.16743×10-7
第１７面
Ｋ  =  0.000
Ａ4 =  4.79555×10-5
Ａ6 =  7.02757×10-6
Ａ8 = -2.32832×10-7
Ａ10=  3.87420×10-9
ズームデータ（∞）
ＷＥ            ＳＴ            ＴＥ
ｆ (mm)             5.06           12.01           24.29
ＦNO                3.08            5.02            5.05
２ω（°）         80.75           36.31           17.82
ｄ4                 0.74            0.99           13.33
ｄ10               11.11            3.28            0.91
ｄ16                2.72            9.93           10.06
ｄ18                2.60            2.99            2.99                    。
【０２４４】
実施例１２
ｒ1 =    19.964             ｄ1 =  0.80     ｎd1 =1.92286 νd1 =18.90 
ｒ2 =    15.354             ｄ2 =  0.22     
ｒ3 =    16.981             ｄ3 =  3.10     ｎd2 =1.76802 νd2 =49.24 
ｒ4 =   321.532             ｄ4 = （可変）  
ｒ5 =   -79.400 （非球面）  ｄ5 =  0.82     ｎd3 =1.88300 νd3 =40.76 
ｒ6 =     6.026 （非球面）  ｄ6 =  2.65     
ｒ7 =  -512.296             ｄ7 =  2.00     ｎd4 =2.00170 νd4 =20.64 
ｒ8 =   -14.190             ｄ8 =  0.13     
ｒ9 =   -10.837 （非球面）  ｄ9 =  0.67     ｎd5 =1.81600 νd5 =46.62 
ｒ10=   -38.820             ｄ10= （可変）  
ｒ11=     ∞（絞り）        ｄ11=  0.10     
ｒ12=     5.567 （非球面）  ｄ12=  2.70     ｎd6 =1.58913 νd6 =61.14 
ｒ13=   -10.835 （非球面）  ｄ13=  0.10     
ｒ14=     5.426             ｄ14=  1.39     ｎd7 =1.59201 νd7 =67.02 
ｒ15=    13.374             ｄ15=  0.80     ｎd8 =2.00069 νd8 =25.46 
ｒ16=     3.434             ｄ16= （可変）  
ｒ17=    21.181 （非球面）  ｄ17=  2.07     ｎd9 =1.74330 νd9 =49.33 
ｒ18=   -23.592             ｄ18= （可変）  
ｒ19=     ∞                ｄ19=  0.40     ｎd10=1.54771 νd10=62.84 
ｒ20=     ∞                ｄ20=  0.50     
ｒ21=     ∞                ｄ21=  0.50     ｎd11=1.51633 νd11=64.14 
ｒ22=     ∞                ｄ22=  0.36     
ｒ23=     ∞（像面）        
非球面係数
第５面
Ｋ  =  0.000
Ａ4 =  1.81913×10-4
Ａ6 = -7.45514×10-6
Ａ8 =  1.16696×10-7
Ａ10= -6.24258×10-10 
第６面
Ｋ  =  0.000
Ａ4 =  3.02384×10-5
Ａ6 =  2.11070×10-5
Ａ8 = -1.27196×10-6
Ａ10=  4.98377×10-9
第９面
Ｋ  = -0.063
Ａ4 =  2.66985×10-4
Ａ6 =  5.08873×10-6
Ａ8 = -1.46937×10-7
Ａ10=  0
第１２面
Ｋ  = -0.000
Ａ4 = -9.20807×10-4
Ａ6 = -4.91248×10-6
Ａ8 = -3.02284×10-6
Ａ10=  3.84485×10-7
第１３面
Ｋ  =  0.000
Ａ4 =  5.02906×10-4
Ａ6 =  7.33058×10-6
Ａ8 = -5.38763×10-6
Ａ10=  6.41876×10-7
第１７面
Ｋ  =  0.000
Ａ4 =  2.80646×10-6
Ａ6 =  1.03678×10-5
Ａ8 = -3.21345×10-7
Ａ10=  4.86255×10-9
ズームデータ（∞）
ＷＥ            ＳＴ            ＴＥ
ｆ (mm)             5.06           12.01           24.29
ＦNO                3.09            4.69            4.91
２ω（°）         80.15           35.68           17.65
ｄ4                 0.73            3.65           13.26
ｄ10               10.76            3.56            0.77
ｄ16                2.74            9.08           10.01
ｄ18                2.81            3.04            2.97                    。
【０２４５】
実施例１３
ｒ1 =    20.035             ｄ1 =  0.80     ｎd1 =1.92286 νd1 =18.90 
ｒ2 =    15.388             ｄ2 =  0.21     
ｒ3 =    16.987             ｄ3 =  3.10     ｎd2 =1.76802 νd2 =49.24 
ｒ4 =   322.739             ｄ4 = （可変）  
ｒ5 =   -67.042 （非球面）  ｄ5 =  0.82     ｎd3 =1.88300 νd3 =40.76 
ｒ6 =     6.104 （非球面）  ｄ6 =  2.63     
ｒ7 =  -553.055             ｄ7 =  2.02     ｎd4 =2.00170 νd4 =20.64 
ｒ8 =   -14.110             ｄ8 =  0.17     
ｒ9 =   -11.468 （非球面）  ｄ9 =  0.67     ｎd5 =1.81600 νd5 =46.62 
ｒ10=   -48.428 （非球面）  ｄ10= （可変）  
ｒ11=     ∞（絞り）        ｄ11=  0.10     
ｒ12=     5.592 （非球面）  ｄ12=  2.70     ｎd6 =1.58913 νd6 =61.14 
ｒ13=   -10.777 （非球面）  ｄ13=  0.10     
ｒ14=     5.381             ｄ14=  1.39     ｎd7 =1.59201 νd7 =67.02 
ｒ15=    13.633             ｄ15=  0.80     ｎd8 =2.00069 νd8 =25.46 
ｒ16=     3.428             ｄ16= （可変）  
ｒ17=    21.377 （非球面）  ｄ17=  2.07     ｎd9 =1.74330 νd9 =49.33 
ｒ18=   -23.467             ｄ18= （可変）  
ｒ19=     ∞                ｄ19=  0.40     ｎd10=1.54771 νd10=62.84 
ｒ20=     ∞                ｄ20=  0.50     
ｒ21=     ∞                ｄ21=  0.50     ｎd11=1.51633 νd11=64.14 
ｒ22=     ∞                ｄ22=  0.36     
ｒ23=     ∞（像面）        
非球面係数
第５面
Ｋ  =  0.000
Ａ4 =  2.02227×10-4
Ａ6 = -8.03922×10-6
Ａ8 =  1.51641×10-7
Ａ10= -1.06462×10-9
第６面
Ｋ  =  0.000
Ａ4 =  3.98938×10-5
Ａ6 =  1.96692×10-5
Ａ8 = -1.68354×10-6
Ａ10=  2.76679×10-8
第９面
Ｋ  = -0.063
Ａ4 =  2.07247×10-5
Ａ6 = -3.77371×10-6
Ａ8 =  2.63786×10-7
Ａ10=  0
第１０面
Ｋ  = -0.897
Ａ4 = -2.19314×10-4
Ａ6 = -5.31018×10-6
Ａ8 =  3.15789×10-7
Ａ10=  0
第１２面
Ｋ  = -0.000
Ａ4 = -9.35871×10-4
Ａ6 = -1.13973×10-5
Ａ8 = -7.24228×10-7
Ａ10=  1.19444×10-7
第１３面
Ｋ  =  0.000
Ａ4 =  4.83658×10-4
Ａ6 = -9.01954×10-6
Ａ8 =  1.55326×10-7
Ａ10=  4.11169×10-8
第１７面
Ｋ  =  0.000
Ａ4 =  8.51281×10-6
Ａ6 =  9.83773×10-6
Ａ8 = -3.17684×10-7
Ａ10=  5.22025×10-9
ズームデータ（∞）
ＷＥ            ＳＴ            ＴＥ
ｆ (mm)             5.06           12.01           24.29
ＦNO                3.09            4.69            4.92
２ω（°）         80.14           35.67           17.64
ｄ4                 0.73            3.64           13.26
ｄ10               10.77            3.56            0.77
ｄ16                2.74            9.08           10.02
ｄ18                2.80            3.03            2.97                    。
【０２４６】
実施例１４
ｒ1 =    24.847             ｄ1 =  0.80     ｎd1 =1.94595 νd1 =17.98 
ｒ2 =    16.542             ｄ2 =  0.29     
ｒ3 =    18.208             ｄ3 =  3.02     ｎd2 =1.88300 νd2 =40.76 
ｒ4 =  3582.698             ｄ4 = （可変）  
ｒ5 =   -43.179 （非球面）  ｄ5 =  0.79     ｎd3 =1.80610 νd3 =40.92 
ｒ6 =     5.891 （非球面）  ｄ6 =  2.64     
ｒ7 =-157590.062            ｄ7 =  1.91     ｎd4 =1.94595 νd4 =17.98 
ｒ8 =   -15.395             ｄ8 =  0.67     ｎd5 =1.80610 νd5 =40.92 
ｒ9 =  -175.340 （非球面）  ｄ9 = （可変）  
ｒ10=     ∞（絞り）        ｄ10=  0.10     
ｒ11=     5.417 （非球面）  ｄ11=  2.70     ｎd6 =1.58913 νd6 =61.14 
ｒ12=   -10.144 （非球面）  ｄ12= （可変）  
ｒ13=     5.942             ｄ13=  1.42     ｎd7 =1.59201 νd7 =67.02 
ｒ14=    24.078             ｄ14=  0.80     ｎd8 =2.00069 νd8 =25.46 
ｒ15=     3.618             ｄ15= （可変）  
ｒ16=    17.723 （非球面）  ｄ16=  2.07     ｎd9 =1.74330 νd9 =49.33 
ｒ17=   -30.024             ｄ17= （可変）  
ｒ18=     ∞                ｄ18=  0.40     ｎd10=1.54771 νd10=62.84 
ｒ19=     ∞                ｄ19=  0.50     
ｒ20=     ∞                ｄ20=  0.50     ｎd11=1.51633 νd11=64.14 
ｒ21=     ∞                ｄ21=  0.36     
ｒ22=     ∞（像面）        
非球面係数
第５面
Ｋ  =  0.000
Ａ4 =  2.41650×10-4
Ａ6 = -7.80486×10-6
Ａ8 =  1.53963×10-7
Ａ10= -1.21087×10-9
第６面
Ｋ  =  0.000
Ａ4 =  1.85981×10-4
Ａ6 =  2.55754×10-5
Ａ8 = -1.92596×10-6
Ａ10=  3.81224×10-8
第９面
Ｋ  = -4.077
Ａ4 = -3.33609×10-4
Ａ6 =  6.19746×10-6
Ａ8 = -2.40693×10-7
Ａ10=  4.21649×10-10 
第１１面
Ｋ  = -0.000
Ａ4 = -1.00640×10-3
Ａ6 =  2.89626×10-5
Ａ8 = -5.10096×10-6
Ａ10=  7.01287×10-7
第１２面
Ｋ  =  0.000
Ａ4 =  6.92460×10-4
Ａ6 =  4.80286×10-5
Ａ8 = -9.42465×10-6
Ａ10=  1.22823×10-6
第１６面
Ｋ  =  0.000
Ａ4 =  3.67077×10-5
Ａ6 =  1.07760×10-5
Ａ8 = -3.84914×10-7
Ａ10=  6.38037×10-9
ズームデータ（∞）
ＷＥ            ＳＴ            ＴＥ
ｆ (mm)             5.06           12.00           24.28
ＦNO                3.23            4.54            5.07
２ω（°）         80.19           35.07           17.60
ｄ4                 0.71            5.09           13.51
ｄ9                10.96            3.46            0.85
ｄ12                0.20            0.57            0.40
ｄ15                2.75            7.12            9.46
ｄ17                2.80            2.94            2.96                    。
【０２４７】
実施例１５
ｒ1 =    19.959             ｄ1 =  0.80     ｎd1 =1.92286 νd1 =18.90 
ｒ2 =    15.153             ｄ2 =  0.19     
ｒ3 =    16.567             ｄ3 =  3.19     ｎd2 =1.76802 νd2 =49.24 
ｒ4 =   328.834             ｄ4 = （可変）  
ｒ5 =   -66.705 （非球面）  ｄ5 =  0.82     ｎd3 =1.88300 νd3 =40.76 
ｒ6 =     6.014 （非球面）  ｄ6 =  2.67     
ｒ7 =   -97.974             ｄ7 =  1.95     ｎd4 =2.00170 νd4 =20.64 
ｒ8 =   -12.905             ｄ8 =  0.12     
ｒ9 =   -10.476 （非球面）  ｄ9 =  0.67     ｎd5 =1.81600 νd5 =46.62 
ｒ10=   -36.471             ｄ10= （可変）  
ｒ11=     ∞（絞り）        ｄ11=  0.10     
ｒ12=     5.598 （非球面）  ｄ12=  2.70     ｎd6 =1.58913 νd6 =61.14 
ｒ13=   -10.200 （非球面）  ｄ13= （可変）  
ｒ14=     5.893             ｄ14=  1.42     ｎd7 =1.59201 νd7 =67.02 
ｒ15=    20.687             ｄ15=  0.80     ｎd8 =2.00069 νd8 =25.46 
ｒ16=     3.680             ｄ16= （可変）  
ｒ17=    18.589 （非球面）  ｄ17=  2.07     ｎd9 =1.74330 νd9 =49.33 
ｒ18=   -26.724             ｄ18= （可変）  
ｒ19=     ∞                ｄ19=  0.40     ｎd10=1.54771 νd10=62.84 
ｒ20=     ∞                ｄ20=  0.50     
ｒ21=     ∞                ｄ21=  0.50     ｎd11=1.51633 νd11=64.14 
ｒ22=     ∞                ｄ22=  0.36     
ｒ23=     ∞（像面）        
非球面係数
第５面
Ｋ  =  0.000
Ａ4 =  1.92323×10-4
Ａ6 = -4.86162×10-6
Ａ8 =  5.55922×10-8
Ａ10= -2.22548×10-10 
第６面
Ｋ  =  0.000
Ａ4 =  9.52228×10-5
Ａ6 =  2.45561×10-5
Ａ8 = -1.19859×10-6
Ａ10=  6.02161×10-9
第９面
Ｋ  =  0.020
Ａ4 =  3.06753×10-4
Ａ6 = -6.37184×10-7
Ａ8 =  2.66117×10-8
Ａ10=  0
第１２面
Ｋ  = -0.000
Ａ4 = -9.26843×10-4
Ａ6 =  3.04592×10-5
Ａ8 = -6.90151×10-6
Ａ10=  7.46676×10-7
第１３面
Ｋ  =  0.000
Ａ4 =  6.28294×10-4
Ａ6 =  5.21648×10-5
Ａ8 = -1.31953×10-5
Ａ10=  1.46113×10-6
第１７面
Ｋ  =  0.000
Ａ4 = -6.81284×10-6
Ａ6 =  1.02822×10-5
Ａ8 = -3.09403×10-7
Ａ10=  4.47496×10-9
ズームデータ（∞）
ＷＥ            ＳＴ            ＴＥ
ｆ (mm)             5.06           12.01           24.29
ＦNO                3.13            4.50            4.92
２ω（°）         80.23           35.24           17.60
ｄ4                 0.72            4.62           13.21
ｄ10               10.56            3.30            0.78
ｄ13                0.23            0.57            0.43
ｄ16                2.76            7.67            9.68
ｄ18                2.86            3.00            2.96                    。
【０２４８】
実施例１６
ｒ1 =    25.601             ｄ1 =  0.80     ｎd1 =1.92286 νd1 =18.90 
ｒ2 =    16.493             ｄ2 =  0.20     
ｒ3 =    18.075             ｄ3 =  3.23     ｎd2 =1.88300 νd2 =40.76 
ｒ4 = -1234.242             ｄ4 = （可変）  
ｒ5 =   -40.268 （非球面）  ｄ5 =  0.80     ｎd3 =1.83481 νd3 =42.71 
ｒ6 =     6.022 （非球面）  ｄ6 =  2.62     
ｒ7 =  -407.214             ｄ7 =  1.83     ｎd4 =1.92286 νd4 =18.90 
ｒ8 =   -15.866             ｄ8 =  0.68     ｎd5 =1.83481 νd5 =42.71 
ｒ9 =   -66.674 （非球面）  ｄ9 = （可変）  
ｒ10=     ∞（絞り）        ｄ10=  0.10     
ｒ11=     5.520 （非球面）  ｄ11=  2.70     ｎd6 =1.58913 νd6 =61.14 
ｒ12=    -9.949 （非球面）  ｄ12= （可変）  
ｒ13=     6.163             ｄ13=  1.35     ｎd7 =1.59201 νd7 =67.02 
ｒ14=    18.256             ｄ14=  0.80     ｎd8 =2.00069 νd8 =25.46 
ｒ15=     3.675             ｄ15= （可変）  
ｒ16=    15.963 （非球面）  ｄ16=  2.07     ｎd9 =1.74330 νd9 =49.33 
ｒ17=   -38.145             ｄ17= （可変）  
ｒ18=     ∞                ｄ18=  0.40     ｎd10=1.54771 νd10=62.84 
ｒ19=     ∞                ｄ19=  0.50     
ｒ20=     ∞                ｄ20=  0.50     ｎd11=1.51633 νd11=64.14 
ｒ21=     ∞                ｄ21=  0.37     
ｒ22=     ∞（像面）        
非球面係数
第５面
Ｋ  =  0.000
Ａ4 =  2.05163×10-4
Ａ6 = -3.37326×10-6
Ａ8 =  4.45283×10-8
Ａ10= -3.62203×10-10 
第６面
Ｋ  =  0.000
Ａ4 =  1.47479×10-4
Ａ6 =  2.72737×10-5
Ａ8 = -1.43607×10-6
Ａ10=  3.29097×10-8
第９面
Ｋ  = 17.341
Ａ4 = -2.82382×10-4
Ａ6 =  3.16842×10-6
Ａ8 = -2.28861×10-7
Ａ10=  0
第１１面
Ｋ  = -0.000
Ａ4 = -1.03741×10-3
Ａ6 =  2.15062×10-5
Ａ8 = -6.81878×10-6
Ａ10=  7.72131×10-7
第１２面
Ｋ  =  0.000
Ａ4 =  5.90361×10-4
Ａ6 =  4.12917×10-5
Ａ8 = -1.28212×10-5
Ａ10=  1.50309×10-6
第１６面
Ｋ  =  0.000
Ａ4 =  2.50156×10-5
Ａ6 =  1.12904×10-5
Ａ8 = -3.91013×10-7
Ａ10=  6.07074×10-9
ズームデータ（∞）
ＷＥ            ＳＴ            ＴＥ
ｆ (mm)             5.06           12.00           24.29
ＦNO                3.13            4.24            4.94
２ω（°）         80.27           34.68           17.58
ｄ4                 0.71            6.26           13.33
ｄ9                10.81            3.63            0.72
ｄ12                0.27            0.57            0.42
ｄ15                2.76            6.65            9.78
ｄ17                2.83            3.00            2.96                    。
【０２４９】
実施例１７
ｒ1 =    21.193             ｄ1 =  0.81     ｎd1 =1.94595 νd1 =17.98 
ｒ2 =    15.192             ｄ2 =  3.09     ｎd2 =1.83481 νd2 =42.71 
ｒ3 =    81.748             ｄ3 = （可変）  
ｒ4 =  -603.712 （非球面）  ｄ4 =  0.82     ｎd3 =1.88300 νd3 =40.76 
ｒ5 =     5.982 （非球面）  ｄ5 =  2.78     
ｒ6 =  -237.176             ｄ6 =  1.71     ｎd4 =2.10227 νd4 =17.10 
ｒ7 =   -18.101             ｄ7 =  0.09     
ｒ8 =   -15.997             ｄ8 =  0.80     ｎd5 =1.88300 νd5 =40.76 
ｒ9 =  -168.381 （非球面）  ｄ9 = （可変）  
ｒ10=     ∞（絞り）        ｄ10=  0.10     
ｒ11=     5.812 （非球面）  ｄ11=  2.70     ｎd6 =1.58913 νd6 =61.14 
ｒ12=   -10.295 （非球面）  ｄ12= （可変）  
ｒ13=     5.387             ｄ13=  1.54     ｎd7 =1.59201 νd7 =67.02 
ｒ14=    19.283             ｄ14=  0.80     ｎd8 =2.00069 νd8 =25.46 
ｒ15=     3.554             ｄ15= （可変）  
ｒ16=    24.991 （非球面）  ｄ16=  2.07     ｎd9 =1.74330 νd9 =49.33 
ｒ17=   -19.483             ｄ17= （可変）  
ｒ18=     ∞                ｄ18=  0.40     ｎd10=1.54771 νd10=62.84 
ｒ19=     ∞                ｄ19=  0.50     
ｒ20=     ∞                ｄ20=  0.50     ｎd11=1.51633 νd11=64.14 
ｒ21=     ∞                ｄ21=  0.35     
ｒ22=     ∞（像面）        
非球面係数
第４面
Ｋ  =  0.000
Ａ4 =  1.21970×10-4
Ａ6 = -1.08084×10-6
Ａ8 = -1.14600×10-8
Ａ10=  1.97222×10-10 
第５面
Ｋ  =  0.000
Ａ4 =  1.75555×10-4
Ａ6 =  2.16172×10-5
Ａ8 = -8.70023×10-7
Ａ10=  1.24313×10-8
第９面
Ｋ  = 410.383 
Ａ4 = -2.79644×10-4
Ａ6 =  4.80703×10-6
Ａ8 = -2.06609×10-7
Ａ10=  0
第１１面
Ｋ  = -0.000
Ａ4 = -8.72572×10-4
Ａ6 =  1.99478×10-5
Ａ8 = -4.51334×10-6
Ａ10=  5.24324×10-7
第１２面
Ｋ  =  0.000
Ａ4 =  5.50797×10-4
Ａ6 =  2.74834×10-5
Ａ8 = -6.52190×10-6
Ａ10=  7.69571×10-7
第１６面
Ｋ  =  0.000
Ａ4 =  1.78974×10-5
Ａ6 =  7.85039×10-6
Ａ8 = -2.65852×10-7
Ａ10=  4.28825×10-9
ズームデータ（∞）
ＷＥ            ＳＴ            ＴＥ
ｆ (mm)             5.06           12.01           24.29
ＦNO                3.08            4.93            4.91
２ω（°）         80.33           36.11           17.66
ｄ3                 0.74            1.00           13.34
ｄ9                10.94            3.05            0.89
ｄ12                0.16            0.57            0.55
ｄ15                2.75            9.30            9.26
ｄ17                2.70            3.00            2.99                    。
【０２５０】
実施例１８
ｒ1 =    24.005             ｄ1 =  0.80     ｎd1 =1.92286 νd1 =18.90 
ｒ2 =    15.730             ｄ2 =  0.18     
ｒ3 =    16.798             ｄ3 =  3.12     ｎd2 =1.88300 νd2 =40.76 
ｒ4 =   320.063             ｄ4 = （可変）  
ｒ5 =   -63.961 （非球面）  ｄ5 =  0.80     ｎd3 =1.83481 νd3 =42.71 
ｒ6 =     5.769 （非球面）  ｄ6 =  2.79     
ｒ7 =  -110.876             ｄ7 =  1.74     ｎd4 =1.94595 νd4 =17.98 
ｒ8 =   -15.935             ｄ8 =  0.08     
ｒ9 =   -14.478             ｄ9 =  0.68     ｎd5 =1.83481 νd5 =42.71 
ｒ10=   -43.168 （非球面）  ｄ10= （可変）  
ｒ11=     ∞（絞り）        ｄ11=  0.10     
ｒ12=     5.627 （非球面）  ｄ12=  2.70     ｎd6 =1.58913 νd6 =61.14 
ｒ13=    -9.958 （非球面）  ｄ13= （可変）  
ｒ14=     6.057             ｄ14=  1.36     ｎd7 =1.59201 νd7 =67.02 
ｒ15=    18.994             ｄ15=  0.80     ｎd8 =2.00069 νd8 =25.46 
ｒ16=     3.702             ｄ16= （可変）  
ｒ17=    16.931 （非球面）  ｄ17=  2.07     ｎd9 =1.74330 νd9 =49.33 
ｒ18=   -33.088             ｄ18= （可変）  
ｒ19=     ∞                ｄ19=  0.40     ｎd10=1.54771 νd10=62.84 
ｒ20=     ∞                ｄ20=  0.50     
ｒ21=     ∞                ｄ21=  0.50     ｎd11=1.51633 νd11=64.14 
ｒ22=     ∞                ｄ22=  0.37     
ｒ23=     ∞（像面）        
非球面係数
第５面
Ｋ  =  0.000
Ａ4 =  2.20322×10-4
Ａ6 = -8.05410×10-6
Ａ8 =  1.50663×10-7
Ａ10= -1.08544×10-9
第６面
Ｋ  =  0.000
Ａ4 =  1.19766×10-4
Ａ6 =  2.71353×10-5
Ａ8 = -1.79261×10-6
Ａ10=  2.50985×10-8
第１０面
Ｋ  =  4.763
Ａ4 = -2.60503×10-4
Ａ6 = -1.23050×10-6
Ａ8 =  2.35967×10-8
Ａ10=  0
第１２面
Ｋ  = -0.000
Ａ4 = -9.80569×10-4
Ａ6 =  1.94848×10-5
Ａ8 = -5.98539×10-6
Ａ10=  6.24092×10-7
第１３面
Ｋ  =  0.000
Ａ4 =  5.74317×10-4
Ａ6 =  3.99276×10-5
Ａ8 = -1.14945×10-5
Ａ10=  1.22736×10-6
第１７面
Ｋ  =  0.000
Ａ4 =  8.72792×10-7
Ａ6 =  1.10477×10-5
Ａ8 = -3.58880×10-7
Ａ10=  5.71191×10-9
ズームデータ（∞）
ＷＥ            ＳＴ            ＴＥ
ｆ (mm)             5.06           12.01           24.29
ＦNO                3.14            4.56            4.90
２ω（°）         80.18           35.40           17.59
ｄ4                 0.73            4.26           13.29
ｄ10               10.70            3.25            0.68
ｄ13                0.29            0.58            0.46
ｄ16                2.76            7.98            9.63
ｄ18                2.86            3.05            2.96                    。
【０２５１】
実施例１９
ｒ1 =    17.636 （非球面）  ｄ1 =  3.46     ｎd1 =1.49700 νd1 =81.54 
ｒ2 =  1651.373 （非球面）  ｄ2 = （可変）  
ｒ3 =   -89.845 （非球面）  ｄ3 =  0.82     ｎd2 =1.88300 νd2 =40.76 
ｒ4 =     6.252 （非球面）  ｄ4 =  2.41     
ｒ5 =    36.538             ｄ5 =  2.14     ｎd3 =1.94595 νd3 =17.98 
ｒ6 =   -20.686             ｄ6 =  0.20     
ｒ7 =   -15.473             ｄ7 =  0.70     ｎd4 =1.88300 νd4 =40.76 
ｒ8 =  -705.490 （非球面）  ｄ8 = （可変）  
ｒ9 =     ∞（絞り）        ｄ9 =  0.10     
ｒ10=     5.371 （非球面）  ｄ10=  2.70     ｎd5 =1.58913 νd5 =61.14 
ｒ11=   -12.630 （非球面）  ｄ11=  0.10     
ｒ12=     4.840             ｄ12=  1.30     ｎd6 =1.59201 νd6 =67.02 
ｒ13=     8.993             ｄ13=  0.80     ｎd7 =2.00170 νd7 =20.64 
ｒ14=     3.169             ｄ14= （可変）  
ｒ15=  -175.389 （非球面）  ｄ15=  2.05     ｎd8 =2.00170 νd8 =20.64 
ｒ16=   -15.339             ｄ16= （可変）  
ｒ17=     ∞                ｄ17=  0.40     ｎd9 =1.54771 νd9 =62.84 
ｒ18=     ∞                ｄ18=  0.50     
ｒ19=     ∞                ｄ19=  0.50     ｎd10=1.51633 νd10=64.14 
ｒ20=     ∞                ｄ20=  0.36     
ｒ21=     ∞（像面）        
非球面係数
第１面
Ｋ  = -0.000
Ａ4 = -9.36696×10-21 
Ａ6 = -3.07965×10-7
Ａ8 =  1.40121×10-9
Ａ10=  8.27669×10-11 
第２面
Ｋ  = -0.000
Ａ4 =  1.06767×10-5
Ａ6 = -7.16715×10-7
Ａ8 =  1.70324×10-8
Ａ10= -3.34505×10-11 
第３面
Ｋ  =  0.000
Ａ4 =  4.52338×10-5
Ａ6 =  1.74362×10-6
Ａ8 = -8.20880×10-8
Ａ10=  1.09382×10-9
第４面
Ｋ  =  0.000
Ａ4 = -5.26435×10-5
Ａ6 =  9.38403×10-6
Ａ8 = -4.26308×10-7
Ａ10=  1.16873×10-8
第８面
Ｋ  = -3.680
Ａ4 = -2.58689×10-4
Ａ6 =  7.09681×10-6
Ａ8 = -7.55479×10-7
Ａ10=  1.66474×10-8
第１０面
Ｋ  = -0.000
Ａ4 = -8.26225×10-4
Ａ6 =  2.42650×10-5
Ａ8 = -2.03186×10-6
Ａ10=  2.44772×10-7
第１１面
Ｋ  =  0.000
Ａ4 =  6.51537×10-4
Ａ6 =  4.56976×10-5
Ａ8 = -3.58200×10-6
Ａ10=  4.02796×10-7
第１５面
Ｋ  =  0.000
Ａ4 =  8.11366×10-5
Ａ6 =  1.01901×10-5
Ａ8 = -3.84282×10-7
Ａ10=  5.33610×10-9
ズームデータ（∞）
ＷＥ            ＳＴ            ＴＥ
ｆ (mm)             5.06           11.98           24.29
ＦNO                3.03            4.41            5.05
２ω（°）         81.54           36.13           18.37
ｄ2                 0.72            4.69           12.81
ｄ8                11.55            4.15            0.93
ｄ14                2.78            7.77           10.07
ｄ16                2.78            2.99            3.33                    。
【０２５２】
実施例２０
ｒ1 =    15.057 （非球面）  ｄ1 =  3.36     ｎd1 =1.43875 νd1 =94.93 
ｒ2 = 16740.605 （非球面）  ｄ2 = （可変）  
ｒ3 =  -109.482 （非球面）  ｄ3 =  0.82     ｎd2 =1.88300 νd2 =40.76 
ｒ4 =     5.865 （非球面）  ｄ4 =  2.48     
ｒ5 =    29.434             ｄ5 =  2.25     ｎd3 =1.94595 νd3 =17.98 
ｒ6 =   -21.699             ｄ6 =  0.26     
ｒ7 =   -15.455             ｄ7 =  0.70     ｎd4 =1.88300 νd4 =40.76 
ｒ8 = 61494.611 （非球面）  ｄ8 = （可変）  
ｒ9 =     ∞（絞り）        ｄ9 =  0.10     
ｒ10=     5.519 （非球面）  ｄ10=  2.70     ｎd5 =1.58913 νd5 =61.14 
ｒ11=   -12.178 （非球面）  ｄ11=  0.10     
ｒ12=     4.874             ｄ12=  1.36     ｎd6 =1.59201 νd6 =67.02 
ｒ13=     9.784             ｄ13=  0.80     ｎd7 =2.00170 νd7 =20.64 
ｒ14=     3.227             ｄ14= （可変）  
ｒ15=  -455.052 （非球面）  ｄ15=  2.04     ｎd8 =2.00170 νd8 =20.64 
ｒ16=   -15.796             ｄ16= （可変）  
ｒ17=     ∞                ｄ17=  0.40     ｎd9 =1.54771 νd9 =62.84 
ｒ18=     ∞                ｄ18=  0.50     
ｒ19=     ∞                ｄ19=  0.50     ｎd10=1.51633 νd10=64.14 
ｒ20=     ∞                ｄ20=  0.36     
ｒ21=     ∞（像面）        
非球面係数
第１面
Ｋ  = -0.000
Ａ4 = -9.36696×10-21 
Ａ6 = -2.82322×10-7
Ａ8 = -3.32314×10-9
Ａ10=  9.80939×10-11 
第２面
Ｋ  = -0.000
Ａ4 =  2.03046×10-5
Ａ6 = -8.63339×10-7
Ａ8 =  1.39119×10-8
Ａ10= -2.72606×10-11 
第３面
Ｋ  =  0.000
Ａ4 =  1.45879×10-4
Ａ6 = -7.06884×10-6
Ａ8 =  1.23121×10-7
Ａ10= -5.62979×10-10 
第４面
Ｋ  =  0.000
Ａ4 = -5.29316×10-5
Ａ6 =  3.56817×10-6
Ａ8 = -1.11723×10-6
Ａ10=  1.49013×10-8
第８面
Ｋ  = -3.680
Ａ4 = -2.43119×10-4
Ａ6 =  1.50423×10-6
Ａ8 = -8.73464×10-8
Ａ10=  2.80319×10-9
第１０面
Ｋ  = -0.000
Ａ4 = -7.77230×10-4
Ａ6 =  1.47499×10-5
Ａ8 = -1.23145×10-6
Ａ10=  1.55776×10-7
第１１面
Ｋ  =  0.000
Ａ4 =  6.35918×10-4
Ａ6 =  3.49158×10-5
Ａ8 = -2.91520×10-6
Ａ10=  2.80196×10-7
第１５面
Ｋ  =  0.000
Ａ4 =  4.02871×10-5
Ａ6 =  1.18379×10-5
Ａ8 = -4.08960×10-7
Ａ10=  5.70846×10-9
ズームデータ（∞）
ＷＥ            ＳＴ            ＴＥ
ｆ (mm)             5.06           11.98           24.29
ＦNO                3.11            4.53            5.05
２ω（°）         81.61           36.13           18.35
ｄ2                 0.72            4.72           12.77
ｄ8                11.25            4.14            0.96
ｄ14                2.79            7.94            9.79
ｄ16                2.84            2.99            3.34                    。
【０２５３】
以上の実施例１〜２０の無限遠物点合焦時の収差図をそれぞれ図２１〜図４０に示す。これらの収差図において、（ａ）は広角端、（ｂ）は中間状態、（ｃ）は望遠端における球面収差、非点収差、歪曲収差、倍率色収差を示す。各図中、“ＦＩＹ”は最大像高を示す。
【０２５４】
次に、上記各実施例における条件式（１）〜（２１）の値を示す。
実施例      １        ２        ３        ４        ５        ６        ７
（１） -0.794    -0.789    -0.798    -0.788    -0.804    -0.823    -0.822 
（２）  0.815     0.813     0.813     0.769     0.756     0.788     0.806 
（３）  0.017     0.056    -0.019     0.030     0.008     0.032     0.044 
（４）  2.0017    1.94595   2.0017    1.92286   1.92286   1.94595   2.10226 
（５） 20.6      18.0      20.6      18.9      18.9      18.0      17.1 
（６）  1.070     1.270     0.930     1.132     1.037     1.142     1.240 
（７）  1.8830    1.8348    1.8830    1.8348    1.8348    1.8830    1.8830
（８） 40.8      42.7      40.8      42.7      42.7      40.8      40.8 
（９）  1.8160    1.8348    1.8348    1.8348    1.8348    1.8830    1.8830    （１０） 46.6      42.7      42.7      42.7      42.7      40.8      40.8 
（１１） -1.505    -1.976    -1.370    -1.738    -1.545    -2.038    -1.967 
（１２）  2.001     2.553     1.885     2.416     2.341     2.334     2.477 
（13A ）  0.029     0.030     0.027     0.052     0.054     0.036     0.028 
（13B ） -0.007    -0.008    -0.006    -0.004    -0.001    -0.008    -0.008 
（１４） -0.025    -0.021    -0.025    -0.025    -0.025    -0.019    -0.019 
（１５）  0.008     0.005     0.005     0.009     0.006     0.006     0.006 
（１６）  0.310     0.311     0.312     0.311     0.314     0.309     0.309 
（１７）  1.383     1.383     1.380     1.385     1.385     1.367     1.367 
（１８）  0.370     0.372     0.371     0.371     0.371     0.371     0.370 
（１９）  0.636     0.646     0.641     0.640     0.643     0.645     0.640 
（２０）  0.759     0.759     0.759     0.759     0.759     0.759     0.759 
（２１）  4.800     4.800     4.800     4.799     4.800     4.801     4.800 
。
実施例      ８        ９      １０      １１      １２      １３      １４        （１） -0.807    -0.773    -0.787    -0.777    -0.809    -0.819    -0.794 
（２）  0.826     0.778     0.980     1.017     0.859     0.833     0.760 
（３）  0.032     0.043    -0.070    -0.040     0.015     0.013     0.000 
（４）  2.10226   1.92286   2.10226   2.10226   2.0017    2.0017    1.94595 
（５） 17.1      18.9      17.1      17.1      20.6      20.6      17.98
（６）  1.178     1.175     0.647     0.799     1.057     1.052     1.000 
（７）  1.8830    1.8061    1.8830    1.8830    1.8830    1.8830    1.8061
（８） 40.8      40.9      40.8      40.8      40.8      40.8      40.92
（９）  1.8830    1.8061    1.8830    1.8830    1.8160    1.8160    1.8061
（１０） 40.8      40.9      40.8      40.8      46.6      46.6      40.92
（１１） -1.545    -1.491    -1.195    -1.172    -1.775    -1.621    -1.193 
（１２）  2.548     2.215     2.307     2.271     1.953     1.936     2.195 
（13A ）  0.035     0.053     0.027     0.003     0.013     0.020     0.047 
（13B ）  0.001    -0.001    -0.001     0.003    -0.013    -0.020    -0.010 
（１４） -0.022    -0.028    -0.022    -0.020    -0.026    -0.019    -0.021 
（１５）  0.006     0.008     0.000     0.007     0.006     0.006     0.008 
（１６）  0.309     0.312     0.312     0.311     0.306     0.307     0.305 
（１７）  1.371     1.386     1.501     1.484     1.393     1.396     1.394 
（１８）  0.370     0.372     0.356     0.354     0.366     0.366     0.264 
（１９）  0.637     0.642     0.657     0.655     0.631     0.632     - 
（２０）  0.759     0.759     0.759     0.759     0.759     0.759     0.759 
（２１）  4.799     4.799     4.798     4.799     4.800     4.800     4.800 
。
実施例    １５      １６      １７      １８      １９      ２０
（１） -0.836    -0.810    -0.830    -0.786    -0.824    -0.796 
（２）  0.835     0.740     0.980     0.835     0.870     0.898 
（３）  0.073     0.018     0.030     0.066    -0.208    -0.250 
（４）  2.0017    1.92286   2.10226   1.94595   1.94595   1.94595 
（５） 20.64     18.90     17.10     17.98     17.98     17.98
（６）  1.303     1.081     1.165     1.336     0.277     0.151 
（７）  1.883     1.83481   1.883     1.83481   1.883     1.883 
（８） 40.76     42.71     40.76     42.71     40.76     40.76
（９）  1.816     1.83481   1.883     1.83481   1.8830    1.8830
（１０） 46.62     42.71     40.76     42.71     40.76     40.76
（１１） -1.806    -1.625    -1.210    -2.009    -1.045    -0.999 
（１２）  2.038     2.400     2.458     2.657     1.874     1.831 
（13A ）  0.033     0.061     0.050     0.031     0.025     0.051 
（13B ） -0.008    -0.004     0.008    -0.008    -0.010    -0.051 
（１４） -0.022    -0.022    -0.018    -0.020    -0.022    -0.017 
（１５）  0.006     0.006     0.000     0.005     -         - 
（１６）  0.296     0.306     0.297     0.302     0.313     0.303 
（１７）  1.376     1.376     1.467     1.370     1.476     1.414 
（１８）  0.270     0.265     0.277     0.269     0.349     0.351 
（１９）  -         -         -         -         0.687     0.671 
（２０）  0.759     0.758     0.759     0.759     0.759     0.760 
（２１）  4.800     4.797     4.800     4.800     4.802     4.804 
。
【０２５５】
上記各実施例において、以下の構成としてもよい。
【０２５６】
ゴースト、フレア等の不要光をカットするために、明るさ絞りＳ以外にフレア絞りを配置してもかまわない。第１レンズ群Ｇ１の物体側、第１レンズ群Ｇ１と第２レンズ群Ｇ２間、第２レンズ群Ｇ２と第３レンズ群Ｇ３間、第３レンズ群Ｇ３と第４レンズ群Ｇ４間、第４レンズ群Ｇ４から像面Ｉの間、第４レンズ群Ｇ４と第５レンズ群Ｇ５間、第５レンズ群Ｇ５から像面Ｉの間の何れの場所に配置してもよい。また、枠部材によりフレア光線をカットするように構成してもよいし、別の部材を構成してもよい。また、レンズの表面に直接印刷しても、塗装しても、シール等を接着してもかまわない。また、その形状は円形、楕円形、矩形、多角形、関数曲線で囲まれる範囲等、如何なる形状でもかまわない。また、有害光束をカットするだけでなく、画面周辺のコマフレア等の光束をカットするようにしてもよい。
【０２５７】
また、各レンズには反射防止コートを行い、ゴースト、フレアを軽減してもかまわない。マルチコートであれば効果的にゴースト、フレアを軽減できるので望ましい。また、赤外カットコートをレンズ面、カバーガラス等に施してももよい。
【０２５８】
また、ピント調節を行うためのフォーカシングは、第４レンズ群Ｇ４若しくは第５レンズ群Ｇ５で行うことが望ましい。第４レンズ群Ｇ４又は第５レンズ群Ｇ５でフォーカシングを行うと、レンズ重量が軽量なためモーター等の駆動系にかかる負荷が少ない。さらに、フォーカシング時に全長が変化しないし、鏡枠内部に駆動モーターを配置できるため、鏡枠のコンパクト化に有利である。上述のように、第４レンズ群Ｇ４フォーカシング、第５レンズ群Ｇ５フォーカシングが望ましいが、第１レンズ群Ｇ１、第２レンズ群Ｇ２、第３レンズ群Ｇ３でフォーカシングを行ってもよい。また、複数のレンズ群を移動してフォーカシングを行ってもよい。また、レンズ系全体を繰り出してフォーカシングを行ってもよいし、群内の一部のレンズを繰り出すか、若しくは、繰り込みしてフォーカスしてもよい。
【０２５９】
また、画像周辺部の明るさの陰り（シェーディング）をＣＣＤのマイクロレンズをシフトすることにより軽減してもよい。例えば、各像高における光線の入射角に合わせてＣＣＤのマイクロレンズの設計を変えてもよい。また、画像処理により画像周辺部の低下量を補正してもよい。
【０２６０】
また、意図的に光学系で歪曲収差を出しておき、撮影後に電気的に画像処理を行って歪みを補正するようにしてもかまわない。その場合の像の歪曲をデジタル補正するための基本的概念について説明する。
【０２６１】
例えば、図４２に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ' （ω）となるように同心円状に移動させることで補正する。例えば、図４２において、半径Ｒの円の内側に位置する任意の半径ｒ1 （ω）の円周上の点Ｐ1 は、円の中心に向けて補正すべき半径ｒ1'（ω）円周上の点Ｐ2 に移動させる。また、半径Ｒの円の外側に位置する任意の半径ｒ2 （ω）の円周上の点Ｑ1 は、円の中心から離れる方向に向けて補正すべき半径ｒ2'（ω）円周上の点Ｑ2 に移動させる。ここで、ｒ' （ω）は次のように表わすことができる。
【０２６２】
ｒ' （ω）＝αｆｔａｎω        （０≦α≦１）
ただし、ωは被写体半画角、ｆは結像光学系（本発明では、ズームレンズ）の焦点距離である。
【０２６３】
ここで、前記半径Ｒの円上（像高）に対応する理想像高をＹとすると、
α＝Ｒ／Ｙ＝Ｒ／ｆｔａｎω
となる。
【０２６４】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ' （ω）となるように同心円状に移動させることで補正することができれば、データ量や演算量の点で有利と考えられる。
【０２６５】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。つまり、離散的座標点毎に表わされる画像データの形状補正においては、上記倍率を固定できる円は存在しない。そこで、各画素（Ｘi ，Ｙj ）毎に、移動先の座標（Ｘi ' ，Ｙj ' ）を決める方法を用いるのがよい。なお、座標（Ｘi ' ，Ｙj ' ）に（Ｘi ，Ｙj ）の２点以上が移動してきた場合には、各画素が有する値の平均値をとる。また、移動してくる点がない場合には、周囲のいくつかの画素の座標（Ｘi ' ，Ｙj ' ）の値を用いて補間すればよい。
【０２６６】
このような方法は、特にズームレンズが有する電子撮像装置において光学系や電子撮像素子の製造誤差等のために光軸に対して歪みが著しく、前記光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０２６７】
本発明の電子撮像装置では、補正量ｒ' （ω）−ｒ（ω）を計算するために、ｒ（ω）すなわち半画角と像高との関係、あるいは、実像高ｒと理想像高ｒ' ／αとの関係が、電子撮像装置に内蔵された記録媒体に記録されている構成としてもよい。
【０２６８】
なお、歪曲補正後の画像が短辺方向の両端において光量が極端に不足することのないようにするには、前記半径Ｒが、次の条件式を満足するのがよい。
【０２６９】
０≦Ｒ≦０．６Ｌs 
ただし、Ｌs は有効撮像面の短辺の長さである。
【０２７０】
好ましくは、前記半径Ｒは、次の条件式を満足するのがよい。
【０２７１】
０．３Ｌs ≦Ｒ≦０．６Ｌs 
さらには、前記半径Ｒは、略有効撮像面の短辺方向の内接円の半径に一致させるのが最も有利である。なお、半径Ｒ＝０の近傍、すなわち、軸上近傍において倍率を固定した補正の場合は、実質画像数の面で若干の不利があるが、広角化しても小型化にするための効果は確保できる。
【０２７２】
なお、補正が必要な焦点距離区間については、いくつかの焦点ゾーンに分割する。そして、該分割された焦点ゾーン内の望遠端近傍で略
ｒ' （ω）＝αｆｔａｎω
を満足する補正結果が得られる場合と同じ補正量で補正してもよい。ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。そして、前記分割されたゾーン内の望遠端近傍で略
ｒ' （ω）＝αｆｔａｎω
を満足する補正結果が得られる場合の補正量を算出し、この補正量に対して焦点距離毎に前記係数を一律に掛けて最終的な補正量にしてもよい。
【０２７３】
ところで、無限遠物体を結像させて得られた像に歪曲がない場合は、
ｆ＝ｙ／ｔａｎω
が成立する。ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０２７４】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０２７５】
図４３〜図４５は、以上のようなズームレンズを撮影光学系４１に組み込んだ本発明によるデジタルカメラの構成の概念図を示す。図４３はデジタルカメラ４０の外観を示す前方斜視図、図４４は同後方正面図、図４５はデジタルカメラ４０の構成を示す模式的な断面図である。ただし、図４３と図４５においては、撮影光学系４１の非沈胴時を示している。デジタルカメラ４０は、この例の場合、撮影用光路４２上に位置する撮影光学系４１、ファインダー用光路４４上に位置するファインダー光学系４３、シャッターボタン４５、フラッシュ４６、液晶表示モニター４７、焦点距離変更ボタン６１、設定変更スイッチ６２等を含み、撮影光学系４１の沈胴時には、カバー６０をスライドすることにより、撮影光学系４１とファインダー光学系４３とフラッシュ４６はそのカバー６０で覆われる。そして、カバー６０を開いてカメラ４０を撮影状態に設定すると、撮影光学系４１は図４５の非沈胴状態になり、カメラ４０の上部に配置されたシャッターボタン４５を押圧すると、それに連動して撮影光学系４１、例えば実施例１のズームレンズを通して撮影が行われる。撮影光学系４１によって形成された物体像が、波長域制限コートを施したローパスフィルターＦとカバーガラスＣを介してＣＣＤ４９の撮像面（光電変換面）上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フロッピーディスクやメモリーカード、ＭＯ等により電子的に記録書込を行うように構成してもよい。また、ＣＣＤ４９に代わって銀塩フィルムを配置した銀塩カメラとして構成してもよい。
【０２７６】
さらに、ファインダー用光路４４上にはファインダー用対物光学系５３が配置してある。ファインダー用対物光学系５３は、複数のレンズ群（図の場合は３群）と正立プリズム５５ａ、５５ｂ、５５ｃからなる正立プリズム系５５とから構成され、撮影光学系４１のズームレンズに連動して焦点距離が変化するズーム光学系からなり、このファインダー用対物光学系５３によって形成された物体像は、像正立部材である正立プリズム系５５の視野枠５７上に形成される。この正立プリズム系５５の後方には、正立正像にされた像を観察者眼球Ｅに導く接眼光学系５９が配置されている。なお、接眼光学系５９の射出側にカバー部材５０が配置されている。
【０２７７】
図４６は、上記デジタルカメラ４０の主要部の内部回路の構成ブロック図である。なお、以下の説明では、上記の処理手段５１は例えばＣＤＳ／ＡＤＣ部２４、一時記憶メモリ１７、画像処理部１８等からなり、記憶手段５２は例えば記憶媒体部１９等からなる。
【０２７８】
図４６に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０２７９】
上記の一時記憶メモリ１７、画像処理部１８、記憶媒体部１９、表示部２０、及び設定情報記憶メモリ部２１はバス２２を介して相互にデータの入力又は出力が可能なように構成され、また、撮像駆動回路１６には、ＣＣＤ４９とＣＤＳ／ＡＤＣ部２４が接続されている。
【０２８０】
操作部１２は各種の入力ボタンやスイッチを備え、これらの入力ボタンやスイッチを介して外部（カメラ使用者）から入力されるイベント情報を制御部に通知する回路である。制御部１３は、例えばＣＰＵ等からなる中央演算処理装置であり、不図示のプログラムメモリを内蔵し、そのプログラムメモリに格納されているプログラムにしたがって、操作部１２を介してカメラ使用者から入力される指示命令を受けてデジタルカメラ４０全体を制御する回路である。
【０２８１】
ＣＣＤ４９は、本発明による撮影光学系４１を介して形成された物体像を受光する。ＣＣＤ４９は、撮像駆動回路１６により駆動制御され、その物体像の各画素ごとの光量を電気信号に変換してＣＤＳ／ＡＤＣ部２４に出力する撮像素子である。
【０２８２】
ＣＤＳ／ＡＤＣ部２４は、ＣＣＤ４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１７に出力する回路である。
【０２８３】
一時記憶メモリ１７は、例えばＳＤＲＡＭ等からなるバッファであり、ＣＤＳ／ＡＤＣ部２４から出力される上記ＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３から指定された画質パラメータに基づいて歪曲収差補正を含む各種画像処理を電気的に行う回路である。
【０２８４】
記録媒体部１９は、例えばフラッシュメモリ等からなるカード型又はスティック型の記録媒体を着脱自在に装着して、それらカード型又はスティック型のフラッシュメモリに、一時記憶メモリ１７から転送されるＲＡＷデータや画像処理部１８で画像処理された画像データを記録して保持する装置の制御回路である。
【０２８５】
表示部２０は、液晶表示モニター４７を備え、その液晶表示モニター４７に画像や操作メニュー等を表示する回路である。設定情報記憶メモリ部２１には、予め各種の画質パラメータが格納されているＲＯＭ部と、そのＲＯＭ部から読み出された画質パラメータの中から操作部１２の入力操作によって選択された画質パラメータを記憶するＲＡＭ部が備えられている。設定情報記憶メモリ部２１は、それらのメモリへの入出力を制御する回路である。
【０２８６】
このように構成されたデジタルカメラ４０は、撮影光学系４１が、本発明により、十分な広角域を有し、コンパクトな構成としながら、高変倍で全変倍域で結像性能が極めて安定的であるので、高性能・小型化・広角化が実現できる。そして、広角側、望遠側での速い合焦動作が可能となる。
【０２８７】
本発明は、以上のような一般的な被写体を撮影する所謂コンパクトデジタルカメラだけでなく、広い画角が必要な監視カメラや、レンズ交換式のカメラに適用してもよい。
【図面の簡単な説明】
【０２８８】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】本発明のズームレンズの実施例９の図１と同様の図である。
【図１０】本発明のズームレンズの実施例１０の図１と同様の図である。
【図１１】本発明のズームレンズの実施例１１の図１と同様の図である。
【図１２】本発明のズームレンズの実施例１２の図１と同様の図である。
【図１３】本発明のズームレンズの実施例１３の図１と同様の図である。
【図１４】本発明のズームレンズの実施例１４の図１と同様の図である。
【図１５】本発明のズームレンズの実施例１５の図１と同様の図である。
【図１６】本発明のズームレンズの実施例１６の図１と同様の図である。
【図１７】本発明のズームレンズの実施例１７の図１と同様の図である。
【図１８】本発明のズームレンズの実施例１８の図１と同様の図である。
【図１９】本発明のズームレンズの実施例１９の図１と同様の図である。
【図２０】本発明のズームレンズの実施例２０の図１と同様の図である。
【図２１】実施例１の無限遠物点合焦時の収差図である。
【図２２】実施例２の無限遠物点合焦時の収差図である。
【図２３】実施例３の無限遠物点合焦時の収差図である。
【図２４】実施例４の無限遠物点合焦時の収差図である。
【図２５】実施例５の無限遠物点合焦時の収差図である。
【図２６】実施例６の無限遠物点合焦時の収差図である。
【図２７】実施例７の無限遠物点合焦時の収差図である。
【図２８】実施例８の無限遠物点合焦時の収差図である。
【図２９】実施例９の無限遠物点合焦時の収差図である。
【図３０】実施例１０の無限遠物点合焦時の収差図である。
【図３１】実施例１１の無限遠物点合焦時の収差図である。
【図３２】実施例１２の無限遠物点合焦時の収差図である。
【図３３】実施例１３の無限遠物点合焦時の収差図である。
【図３４】実施例１４の無限遠物点合焦時の収差図である。
【図３５】実施例１５の無限遠物点合焦時の収差図である。
【図３６】実施例１６の無限遠物点合焦時の収差図である。
【図３７】実施例１７の無限遠物点合焦時の収差図である。
【図３８】実施例１８の無限遠物点合焦時の収差図である。
【図３９】実施例１９の無限遠物点合焦時の収差図である。
【図４０】実施例２０の無限遠物点合焦時の収差図である。
【図４１】非球面偏倚量の定義を説明するための図である。
【図４２】像の歪曲をデジタル補正するための基本的概念を説明するための図である。
【図４３】本発明によるデジタルカメラの外観を示す前方斜視図である。
【図４４】図４３のデジタルカメラの後方斜視図である。
【図４５】図４３のデジタルカメラの断面図である。
【図４６】図４３のデジタルカメラの主要部の内部回路の構成ブロック図である。
【符号の説明】
【０２８９】
Ｇ１…第１レンズ群
Ｇ２…第２レンズ群
Ｇ３…第３レンズ群
Ｇ４…第３レンズ群
Ｇ５…第３レンズ群
Ｓ…開口絞り
Ｆ…光学的ローパスフィルター
Ｃ…カバーガラス
Ｉ…像面
Ｅ…観察者眼球
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４３…ファインダー光学系
４４…ファインダー用光路
４５…シャッターボタン
４６…フラッシュ
４７…液晶表示モニター
４９…ＣＣＤ
５０…カバー部材
５１…処理手段
５２…記録手段
５３…ファインダー用対物光学系
５５…正立プリズム系
５５ａ、５５ｂ、５５ｃ…正立プリズム
５７…視野枠
５９…接眼光学系
６０…カバー
６１…焦点距離変更ボタン
６２…設定変更スイッチ
【図１】
2008076493.tif 000003
【図２】
2008076493.tif 000004
【図３】
2008076493.tif 000005
【図４】
2008076493.tif 000006
【図５】
2008076493.tif 000007
【図６】
2008076493.tif 000008
【図７】
2008076493.tif 000009
【図８】
2008076493.tif 000010
【図９】
2008076493.tif 000011
【図１０】
2008076493.tif 000012
【図１１】
2008076493.tif 000013
【図１２】
2008076493.tif 000014
【図１３】
2008076493.tif 000015
【図１４】
2008076493.tif 000016
【図１５】
2008076493.tif 000017
【図１６】
2008076493.tif 000018
【図１７】
2008076493.tif 000019
【図１８】
2008076493.tif 000020
【図１９】
2008076493.tif 000021
【図２０】
2008076493.tif 000022
【図２１】
2008076493.tif 000023
【図２２】
2008076493.tif 000024
【図２３】
2008076493.tif 000025
【図２４】
2008076493.tif 000026
【図２５】
2008076493.tif 000027
【図２６】
2008076493.tif 000028
【図２７】
2008076493.tif 000029
【図２８】
2008076493.tif 000030
【図２９】
2008076493.tif 000031
【図３０】
2008076493.tif 000032
【図３１】
2008076493.tif 000033
【図３２】
2008076493.tif 000034
【図３３】
2008076493.tif 000035
【図３４】
2008076493.tif 000036
【図３５】
2008076493.tif 000037
【図３６】
2008076493.tif 000038
【図３７】
2008076493.tif 000039
【図３８】
2008076493.tif 000040
【図３９】
2008076493.tif 000041
【図４０】
2008076493.tif 000042
【図４１】
2008076493.tif 000043
【図４２】
2008076493.tif 000044
【図４３】
2008076493.tif 000045
【図４４】
2008076493.tif 000046
【図４５】
2008076493.tif 000047
【図４６】
2008076493.tif 000048